(57)【要約】【課題】画像データを再生するための操作をより簡便に行わせる。【解決手段】レジューム情報記憶制御部２１２は、画像データを再生している途中で、再生停止の操作がされた場合、停止位置を示すレジュームポイントを画像データの再生種別ごとにメモリに記憶させる。画像表示制御部２１３は、画像データおよびレジュームポイントを基に、再生を停止する操作がされた画像データに対応したサムネイル画像にアイコンを重畳させ、サムネイル画像の一覧を表示させる。レジューム情報判定部２１５は、ユーザにより再生開始の操作がされた場合、アイコンがサムネイル画像に重畳しているか否かを判定する。アイコンがサムネイル画像に重畳している場合、再生処理部２１６は、レジュームポイントを基に、停止位置から画像データの再生を再開させることで、画像データを再生するための操作をより簡便に行わせる。本発明は、画像データを再生する機器に適用できる。【選択図】図３
2007172827.tif 000002
【特許請求の範囲】
【請求項１】
被写体を撮像して画像データを出力する撮像手段と、
前記画像データを複数種別の画像データとして記録媒体に記録する記録手段と、
前記記録媒体から前記画像データを読み出して再生する再生手段と、
再生される前記画像データの種別を判定する種別判定手段と、
前記画像データが再生されている場合に、当該画像データの再生が停止されたか否かを判定する再生停止判定手段と、
前記再生停止判定手段により前記画像データの再生が停止されたと判定された場合に、前記画像データの再生の再開に用いる再開位置情報を記憶する記憶手段と
を備え、
前記記憶手段は、前記種別判定手段により判定された前記画像データの種別ごとに、前記再開位置情報を記憶し、
前記再生手段は、前記画像データの種別ごとに記憶された前記再開位置情報を用いて、前記画像データの再生を再開する
ことを特徴とする撮像装置。
【請求項２】
前記種別判定手段は、前記画像データの種別が、動画または静止画であることを判定し、
前記記憶手段は、前記動画または前記静止画の種別ごとに、前記再開位置情報を記憶する
ことを特徴とする請求項１に記載された撮像装置。
【請求項３】
前記種別判定手段は、前記画像データの種別が、動画、静止画、または選択された動画若しくは静止画が任意の順序で再生されるプレイリストであることを判定し、
前記記憶手段は、前記動画、前記静止画、または前記プレイリストの種別ごとに、前記再開位置情報を記憶する
ことを特徴とする請求項１に記載された撮像装置。
【請求項４】
前記再開位置情報は、前記画像データの再生が停止された位置を示す停止位置情報である
ことを特徴とする請求項１に記載された撮像装置。
【請求項５】
前記画像データのサムネイル画像を、前記画像データの種別ごとに一覧表示する表示制御手段をさらに備え、
前記表示制御手段は、前記記憶手段に記憶された前記画像データの種別ごとの前記再開位置情報に対応する前記画像データの前記サムネイル画像に、前記再開位置情報に基づく再生を行うことを示すアイコンを重畳させて表示する
ことを特徴とする請求項１に記載された撮像装置。
【請求項６】
前記画像データの種別は、動画または静止画である
ことを特徴とする請求項５に記載された撮像装置。
【請求項７】
前記画像データの種別は、動画、静止画、または選択された動画若しくは静止画が任意の順序で再生されるプレイリストである
ことを特徴とする請求項５に記載された撮像装置。
【請求項８】
前記画像データの種別ごとに一覧表示された前記画像データから、任意の画像データを選択する選択手段と、
選択された前記画像データが、前記画像データの種別ごとに記憶された前記再開位置情報に対応する画像データであるか否かを判定する再開位置判定手段と
をさらに備え、
前記再生手段は、前記再開位置判定手段により、前記選択された画像データが、前記画像データの種別ごとに記憶された前記再開位置情報に対応する画像データであると判定された場合に、前記再開位置情報に基づいて、前記画像データを再生する
ことを特徴とする請求項１に記載された撮像装置。
【請求項９】
被写体を撮像して画像データを出力する撮像手段と、
前記画像データを複数種別の画像データとして記録媒体に記録する記録手段と、
前記記録媒体から前記画像データを読み出して再生する再生手段と、
再生される前記画像データの種別を判定する種別判定手段と、
前記画像データが再生されている場合に、当該画像データの再生が停止されたか否かを判定する再生停止判定手段と、
前記再生停止判定手段により前記画像データの再生が停止されたと判定された場合に、前記画像データの再生の再開に用いる再開位置情報を記憶する記憶手段と
を備え、
前記記憶手段は、前記種別判定手段により判定された前記画像データの種別ごとに、前記再開位置情報を記憶し、
前記再生手段は、前記画像データの種別ごとに記憶された前記再開位置情報を用いて、前記画像データの再生を再開する
ことを特徴とする携帯電話装置。
【請求項１０】
被写体を撮像して画像データを出力する撮像ステップと、
前記画像データを複数種別の画像データとして記録媒体に記録する記録ステップと、
前記記録媒体から前記画像データを読み出して再生する再生ステップと、
再生される前記画像データの種別を判定する種別判定ステップと、
前記画像データが再生されている場合に、当該画像データの再生が停止されたか否かを判定する再生停止判定ステップと、
前記再生停止判定ステップにより前記画像データの再生が停止されたと判定された場合に、前記画像データの再生の再開に用いる再開位置情報が記憶されるように記憶を制御する記憶制御ステップと
を含み、
前記記憶制御ステップは、前記種別判定ステップにより判定された前記画像データの種別ごとに、前記再開位置情報が記憶されるように記憶を制御する
ことを特徴とする画像データ再生方法。
【請求項１１】
前記画像データのサムネイル画像を、前記画像データの種別ごとに一覧表示する表示制御ステップをさらに含み、
前記表示制御ステップは、記憶された前記画像データの種別ごとの前記再開位置情報に対応する前記画像データの前記サムネイル画像に、前記再開位置情報に基づく再生を行うことを示すアイコンを重畳させて表示する
ことを特徴とする請求項１０に記載された画像データ再生方法。
【請求項１２】
前記画像データの種別ごとに一覧表示された前記画像データから、任意の画像データを選択する選択ステップと、
選択された前記画像データが、前記画像データの種別ごとに記憶された前記再開位置情報に対応する画像データであるか否かを判定する再開位置判定ステップと、
前記再開位置判定ステップにより、前記選択された画像データが、前記画像データの種別ごとに記憶された前記再開位置情報に対応する画像データであると判定された場合、前記再開位置情報に基づいて、前記画像データを再生するように再生を制御する再生制御ステップと
をさらに含むことを特徴とする請求項１０に記載された画像データ再生方法。
【発明の詳細な説明】
【技術分野】
【０００１】
本発明は撮像装置、携帯電話装置、および画像データ再生方法に関し、特に、いわゆるレジューム再生をすることができるようにした撮像装置、携帯電話装置、および画像データ再生方法に関する。
【背景技術】
【０００２】
昨今、DVD（Digital Versatile Disk）などの光ディスクを記録媒体とするデジタルビデオカメラが普及している。これらの光ディスクを装着したデジタルビデオカメラには、再生停止位置の情報をメモリに記憶させ、このメモリに記憶された再生停止位置の情報に基づいて、次の再生開始ポイントを指定させる構成にすることにより、光ディスクに記録されている動画（静止画）を再生している途中で一旦停止させても、その停止させた位置の続きから次の再生を再開させる機能（いわゆる、レジューム再生機能）を備えているものもある。
【０００３】
図１は、従来のデジタルビデオカメラによるレジューム再生機能を説明する図である。
【０００４】
図１においては、従来のデジタルビデオカメラの表示部１１に表示される操作画面が示されている。図中左上の操作画面（以下、ビジュアルインデックス画面と称する）１１において、サムネイル表示領域１２−１乃至サムネイル表示領域１２−６には、記録部（図示せず）に記録されている画像データにそれぞれ対応するサムネイル画像（縮小画像）が表示されている。
【０００５】
前へボタン１３は、いわゆる１つ前の画面（ビジュアルインデックス画面）を表示させるボタンである。前へボタン１３がユーザに操作されると、表示部１１は、サムネイル表示領域１２−１乃至サムネイル表示領域１２−６にそれぞれ表示されているサムネイル画像よりも６つ前の画像データに対応するサムネイル画像を、サムネイル表示領域１２−１乃至サムネイル表示領域１２−６にそれぞれ表示させる。
【０００６】
次へボタン１４は、いわゆる１つ後ろの画面（ビジュアルインデックス画面）を表示させるボタンである。次へボタン１４がユーザに操作されると、表示部１１は、サムネイル表示領域１２−１乃至サムネイル表示領域１２−６にそれぞれ表示されているサムネイル画像よりも６つ後ろの画像データに対応するサムネイル画像を、サムネイル表示領域１２−１乃至サムネイル表示領域１２−６にそれぞれ表示させる。
【０００７】
動画タブ１５は、記録部に記録されている動画の画像データにそれぞれ対応するサムネイル画像を、サムネイル表示領域１２−１乃至サムネイル表示領域１２−６に表示させるときに操作される。静止画タブ１６は、記録部に記録されている静止画の画像データにそれぞれ対応するサムネイル画像を、サムネイル表示領域１２−１乃至サムネイル表示領域１２−６に表示させるときに操作される。
【０００８】
すなわち、ユーザにより、動画タブ１５または静止画タブ１６のいずれかが選択される。なお、図中左上のビジュアルインデックス画面においては、動画タブ１５が選択されている。
【０００９】
図中左上のビジュアルインデックス画面において、ユーザの操作により、サムネイル表示領域１２−１乃至サムネイル表示領域１２−６に表示されているサムネイル画像のうちの１つのサムネイル画像が選択され、従来のデジタルビデオカメラに設けられたユーザの操作を決定するための決定キー（以下、単に、決定キーと称する）または動画を再生するための再生キー（以下、単に、再生キーと称する）が押された場合、表示部１１には、図中右上の動画を再生している画面（以下、再生画面と称する）が表示され、選択した動画が再生される。
【００１０】
このとき、選択した動画が再生されている再生画面が表示されている状態で、ユーザの操作により、従来のデジタルビデオカメラに設けられたビジュアルインデックス画面を表示させるためのビジュアルインデックスキー（以下、単に、ビジュアルインデックスキーと称する）が押された場合、表示部１１に表示されている画面は、再生画面から、ビジュアルインデックス画面に遷移する。
【００１１】
また、選択した動画が再生されている再生画面が表示されている状態で、ユーザの操作により、従来のデジタルビデオカメラに設けられた停止キー（以下、単に、停止キーと称する）が押された場合、図中右下の再生が一時的に停止されている状態で、データ表示エリア３１のみが表示されている画面（以下、再生停止画面と称する）が表示される。このとき、ユーザの操作により、動画を再生してから、再生画面のデータ表示エリア２１（または再生停止画面のデータ表示エリア３１）に表示されている“0:12:12”である時間が示すように、“0:12:12”である時間が経過したときのタイミングで停止キーが押されたので、“0:12:12”である時刻（再生停止位置）の情報を含むレジューム情報を記録部（図示せず）に記録する。
【００１２】
このとき、従来のデジタルビデオカメラにおいて、記録部に記録されるレジューム情報は、動画または静止画のいずれか一方の再生停止情報を含む情報となる。従って、従来のデジタルビデオカメラは、動画と静止画との両方のレジューム情報を同時に保持することはできない。
【００１３】
また、再生停止画面には、データ表示エリア３１の情報のみが表示されているだけで、映像などの情報が表示されていないため、ユーザは、レジューム再生をすることが可能であることに気づかずに、例えば、停止キーを押すなど、誤った操作をしてしまう可能性もある。
【００１４】
再生停止画面において、ユーザの操作により、再生キーが押された場合、記録部に記録されている“0:12:12”である時刻の情報を含むレジューム情報を基に、表示部１１には、再生画面が表示され、“0:12:12”経過後の時点（停止した場所の続き）から動画の再生が再開される。
【００１５】
すなわち、再生停止画面において、ユーザの操作により、再生キーが押された場合、記録部にはレジューム情報が記録されているので、記録した画像を再生している途中で停止した場合でも、停止した場所の続きから動画を再生するようになる。
【００１６】
また、再生停止画面において、ユーザの操作により、ビジュアルインデックスキーが押された場合、表示部１１に表示されている画面は、再生停止画面から、ビジュアルインデックス画面に遷移する。
【００１７】
さらに、再生停止画面において、ユーザの操作により、停止キーが押された場合、図中左下の再生が停止された状態で何も表示されていない画面（以下、停止画面と称する）が表示され、停止画面のデータ表示エリア４１に表示されている“0:00:00”である時間が示すように、レジューム情報が破棄される。
【００１８】
停止画面において、ユーザの操作により、ビジュアルインデックスキーが押された場合、表示部１１に表示されている画面は、停止画面から、ビジュアルインデックス画面に遷移する。
【００１９】
以上のようにして、従来のデジタルビデオカメラは、レジューム再生機能を実現している。
【００２０】
また、ユーザが、再生操作に応じた再生開始位置として、通常の再生開始位置（先頭トラックの先頭位置）以外に、前回の再生または記録動作に関連する位置として、複数の位置を再生開始位置として選択できるようにしている再生装置もある（例えば、特許文献１参照）。
【００２１】
【特許文献１】特開２０００−３３１４６６号公報
【発明の開示】
【発明が解決しようとする課題】
【００２２】
しかしながら、従来のレジューム再生可能なデジタルビデオカメラは、レジューム再生をする場合に、ユーザに対して、操作と関連のない別の画面を表示させるなど、直感的な画面インターフェイスであるとは言えなかった。
【００２３】
また、従来のレジューム再生可能なデジタルビデオカメラは、１つの記録媒体に対して、１つのレジューム情報のみを保持していたので、１つの記録媒体に対して、動画や静止画などの複数の再生種別が含まれている場合、異なる再生種別のデータの視聴を始めると、以前に視聴していた再生種別のレジューム情報が消えてしまい、以前に視聴していた再生種別では、レジューム再生をすることができなくなるという問題があった。
【００２４】
例えば、１つの記録媒体に対して、動画、静止画、または電子書籍などの多種類のコンテンツがある場合、動画の視聴を始めると、以前に視聴していた静止画のレジューム情報が消えてしまい、静止画ではレジューム再生をすることができなくなっていた。
【００２５】
本発明はこのような状況に鑑みてなされたものであり、ユーザに対して、直感的な画面インターフェイスを提供するとともに、複数の再生種別に対して、レジューム情報をそれぞれ保持することで、複数の再生種別がある場合でも、全ての再生種別において、レジューム再生をできるようにするものである。
【課題を解決するための手段】
【００２６】
本発明の撮像装置は、被写体を撮像して画像データを出力する撮像手段と、画像データを複数種別の画像データとして記録媒体に記録する記録手段と、記録媒体から画像データを読み出して再生する再生手段と、再生される画像データの種別を判定する種別判定手段と、画像データが再生されている場合に、当該画像データの再生が停止されたか否かを判定する再生停止判定手段と、再生停止判定手段により画像データの再生が停止されたと判定された場合に、画像データの再生の再開に用いる再開位置情報を記憶する記憶手段とを備え、記憶手段は、種別判定手段により判定された画像データの種別ごとに、再開位置情報を記憶し、再生手段は、画像データの種別ごとに記憶された再開位置情報を用いて、画像データの再生を再開することを特徴とする。
【００２７】
種別判定手段には、画像データの種別が、動画または静止画であることを判定させ、記憶手段は、動画または静止画の種別ごとに、再開位置情報を記憶させることができる。
【００２８】
種別判定手段には、画像データの種別が、動画、静止画、または選択された動画若しくは静止画が任意の順序で再生されるプレイリストであることを判定させ、記憶手段には、動画、静止画、またはプレイリストの種別ごとに、再開位置情報を記憶させることができる。
【００２９】
再開位置情報は、画像データの再生が停止された位置を示す停止位置情報であるようにすることができる。
【００３０】
画像データのサムネイル画像を、画像データの種別ごとに一覧表示する表示制御手段をさらに設け、表示制御手段には、記憶手段に記憶された画像データの種別ごとの再開位置情報に対応する画像データのサムネイル画像に、再開位置情報に基づく再生を行うことを示すアイコンを重畳させて表示させることができる。
【００３１】
画像データの種別は、動画または静止画であるようにすることができる。
【００３２】
画像データの種別は、動画、静止画、または選択された動画若しくは静止画が任意の順序で再生されるプレイリストであるようにすることができる。
【００３３】
画像データの種別ごとに一覧表示された画像データから、任意の画像データを選択する選択手段と、選択された画像データが、画像データの種別ごとに記憶された再開位置情報に対応する画像データであるか否かを判定する再開位置判定手段とをさらに設け、再生手段には、再開位置判定手段により、選択された画像データが、画像データの種別ごとに記憶された再開位置情報に対応する画像データであると判定された場合に、再開位置情報に基づいて、画像データを再生させることができる。
【００３４】
本発明の撮像装置においては、被写体が撮像されて画像データが出力され、画像データが複数種別の画像データとして記録媒体に記録され、記録媒体から画像データが読み出されて再生され、再生される画像データの種別が判定され、画像データが再生されている場合に、当該画像データの再生が停止されたか否かが判定され、画像データの再生が停止されたと判定された場合に、画像データの再生の再開に用いる再開位置情報が記憶され、判定された画像データの種別ごとに、再開位置情報が記憶され、画像データの種別ごとに記憶された再開位置情報を用いて、画像データの再生が再開される。
【００３５】
本発明の携帯電話装置は、被写体を撮像して画像データを出力する撮像手段と、画像データを複数種別の画像データとして記録媒体に記録する記録手段と、記録媒体から画像データを読み出して再生する再生手段と、再生される画像データの種別を判定する種別判定手段と、画像データが再生されている場合に、当該画像データの再生が停止されたか否かを判定する再生停止判定手段と、再生停止判定手段により画像データの再生が停止されたと判定された場合に、画像データの再生の再開に用いる再開位置情報を記憶する記憶手段とを備え、記憶手段は、種別判定手段により判定された画像データの種別ごとに、再開位置情報を記憶し、再生手段は、画像データの種別ごとに記憶された再開位置情報を用いて、画像データの再生を再開することを特徴とする。
【００３６】
本発明の携帯電話装置においては、被写体が撮像されて画像データが出力され、画像データが複数種別の画像データとして記録媒体に記録され、記録媒体から画像データが読み出されて再生され、再生される画像データの種別が判定され、画像データが再生されている場合に、当該画像データの再生が停止されたか否かが判定され、画像データの再生が停止されたと判定された場合に、画像データの再生の再開に用いる再開位置情報が記憶され、判定された画像データの種別ごとに、再開位置情報が記憶され、画像データの種別ごとに記憶された再開位置情報を用いて、画像データの再生が再開される。
【００３７】
本発明の画像データ再生方法は、被写体を撮像して画像データを出力する撮像ステップと、画像データを複数種別の画像データとして記録媒体に記録する記録ステップと、記録媒体から画像データを読み出して再生する再生ステップと、再生される画像データの種別を判定する種別判定ステップと、画像データが再生されている場合に、当該画像データの再生が停止されたか否かを判定する再生停止判定ステップと、再生停止判定ステップにより画像データの再生が停止されたと判定された場合に、画像データの再生の再開に用いる再開位置情報が記憶されるように記憶を制御する記憶制御ステップとを含み、記憶制御ステップは、種別判定ステップにより判定された画像データの種別ごとに、再開位置情報が記憶されるように記憶を制御することを特徴とする。
【００３８】
画像データのサムネイル画像を、画像データの種別ごとに一覧表示する表示制御ステップをさらに含み、表示制御ステップには、記憶された画像データの種別ごとの再開位置情報に対応する画像データのサムネイル画像に、再開位置情報に基づく再生を行うことを示すアイコンを重畳させて表示させることができる。
【００３９】
画像データの種別ごとに一覧表示された画像データから、任意の画像データを選択する選択ステップと、選択された画像データが、画像データの種別ごとに記憶された再開位置情報に対応する画像データであるか否かを判定する再開位置判定ステップと、再開位置判定ステップにより、選択された画像データが、画像データの種別ごとに記憶された再開位置情報に対応する画像データであると判定された場合、再開位置情報に基づいて、画像データを再生するように再生を制御する再生制御ステップとをさらに含むことができる。
【００４０】
本発明の画像データ再生方法においては、被写体が撮像されて画像データが出力され、画像データが複数種別の画像データとして記録媒体に記録され、記録媒体から画像データが読み出されて再生され、再生される画像データの種別が判定され、画像データが再生されている場合に、当該画像データの再生が停止されたか否かが判定され、画像データの再生が停止されたと判定された場合に、画像データの再生の再開に用いる再開位置情報が記憶されるように記憶が制御され、判定された画像データの種別ごとに、再開位置情報が記憶されるように記憶が制御される。
【発明の効果】
【００４１】
本発明によれば、ユーザに対して、直感的な画面インターフェイスが提供されるので、ユーザは、より簡便に再生の操作を行うことができる。また、本発明によれば、複数の再生種別に対して、レジューム情報をそれぞれ保持することができるので、複数の再生種別がある場合でも、全ての再生種別において、レジューム再生をすることができ、操作性を向上させることができる。
【発明を実施するための最良の形態】
【００４２】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００４３】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００４４】
本発明によれば、撮像装置が提供される。この撮像装置（例えば、図２のデジタルビデオカメラ１０１）は、被写体を撮像して画像データを出力する撮像手段（例えば、図２の光学ブロック１１１乃至SDRAM１１８）と、画像データを複数種別の画像データとして記録媒体（例えば、図２の記録媒体１２５）に記録する記録手段（例えば、図２のドライブコントローラ１２４）と、記録媒体から画像データを読み出して再生する再生手段（例えば、図３の再生処理部２１６）と、再生される画像データの種別を判定する種別判定手段（例えば、図３の再生種別判定部２１１）と、画像データが再生されている場合に、当該画像データの再生が停止されたか否かを判定する再生停止判定手段（例えば、図３の操作判定部２１４）と、再生停止判定手段により画像データの再生が停止されたと判定された場合に、画像データの再生の再開に用いる再開位置情報（例えば、レジュームポイント）を記憶する記憶手段（例えば、図２のRAM１２８）とを備え、記憶手段は、種別判定手段により判定された画像データの種別ごとに、再開位置情報を記憶し、再生手段は、画像データの種別ごとに記憶された再開位置情報を用いて、画像データの再生を再開する。
【００４５】
画像データのサムネイル画像を、画像データの種別ごとに一覧表示する表示制御手段（例えば、図３の画面表示制御部２１３）をさらに備え、表示制御手段は、記憶手段に記憶された画像データの種別ごとの再開位置情報に対応する画像データのサムネイル画像に、再開位置情報に基づく再生を行うことを示すアイコンを重畳させて表示することができる。
【００４６】
画像データの種別ごとに一覧表示された画像データから、任意の画像データを選択する選択手段（例えば、図２のタッチパネル１５２）と、選択された画像データが、画像データの種別ごとに記憶された再開位置情報に対応する画像データであるか否かを判定する再開位置判定手段（例えば、図３のレジューム情報判定部２１５）とをさらに備え、再生手段は、再開位置判定手段により、選択された画像データが、画像データの種別ごとに記憶された再開位置情報に対応する画像データであると判定された場合に、再開位置情報に基づいて、画像データを再生することができる。
【００４７】
本発明によれば、携帯電話装置が提供される。この携帯電話装置は、被写体を撮像して画像データを出力する撮像手段（例えば、図２の光学ブロック１１１乃至SDRAM１１８）と、画像データを複数種別の画像データとして記録媒体（例えば、図２の記録媒体１２５）に記録する記録手段（例えば、図２のドライブコントローラ１２４）と、記録媒体から画像データを読み出して再生する再生手段（例えば、図３の再生処理部２１６）と、再生される画像データの種別を判定する種別判定手段（例えば、図３の再生種別判定部２１１）と、画像データが再生されている場合に、当該画像データの再生が停止されたか否かを判定する再生停止判定手段（例えば、図３の操作判定部２１４）と、再生停止判定手段により画像データの再生が停止されたと判定された場合に、画像データの再生の再開に用いる再開位置情報を記憶する記憶手段（例えば、図２のRAM１２８）とを備え、記憶手段は、種別判定手段により判定された画像データの種別ごとに、再開位置情報を記憶し、再生手段は、画像データの種別ごとに記憶された再開位置情報を用いて、画像データの再生を再開する。
【００４８】
本発明によれば、画像データ再生方法が提供される。この画像データ再生方法は、被写体を撮像して画像データを出力する撮像ステップ（例えば、図２の光学ブロック１１１乃至SDRAM１１８によって実行される処理）と、画像データを複数種別の画像データとして記録媒体（例えば、図２の記録媒体１２５）に記録する記録ステップ（例えば、図２のドライブコントローラ１２４によって実行される処理）と、記録媒体から画像データを読み出して再生する再生ステップ（例えば、図１１のステップＳ１５６の処理）と、再生される画像データの種別を判定する種別判定ステップ（例えば、図１０のステップＳ１０２またはステップＳ１０４の処理）と、画像データが再生されている場合に、当該画像データの再生が停止されたか否かを判定する再生停止判定ステップ（例えば、図１１のステップＳ１５７の処理）と、再生停止判定ステップにより画像データの再生が停止されたと判定された場合に、画像データの再生の再開に用いる再開位置情報が記憶されるように記憶を制御する記憶制御ステップ（例えば、図１１のステップＳ１５８の処理）とを含み、記憶制御ステップは、種別判定ステップにより判定された画像データの種別ごとに、再開位置情報が記憶されるように記憶を制御する。
【００４９】
画像データのサムネイル画像を、画像データの種別ごとに一覧表示する表示制御ステップ（例えば、図１１のステップＳ１５９の処理）をさらに含み、表示制御ステップは、記憶された画像データの種別ごとの再開位置情報に対応する画像データのサムネイル画像に、再開位置情報に基づく再生を行うことを示すアイコンを重畳させて表示する。
【００５０】
画像データの種別ごとに一覧表示された画像データから、任意の画像データを選択する選択ステップ（例えば、図１１のステップＳ１５２の処理）と、選択された画像データが、画像データの種別ごとに記憶された再開位置情報に対応する画像データであるか否かを判定する再開位置判定ステップ（例えば、図１１のステップＳ１５３の処理）と、再開位置判定ステップにより、選択された画像データが、画像データの種別ごとに記憶された再開位置情報に対応する画像データであると判定された場合、再開位置情報に基づいて、画像データを再生するように再生を制御する再生制御ステップ（例えば、図１１のステップＳ１５５の処理）とをさらに含む。
【００５１】
以下、図面を参照しながら本発明の実施の形態について説明する。
【００５２】
図２は、本発明を適用したデジタルビデオカメラ１０１の一実施の形態の構成を示すブロック図である。
【００５３】
デジタルビデオカメラ１０１は、光ディスクを駆動する再生装置の一例である。
【００５４】
以下、デジタルビデオカメラ１０１を例にして説明するが、これに限らず、本発明は、例えば、デジタルスチルカメラ、撮像機能付き携帯電話機、または撮像機能付きパーソナルコンピュータなどに適用することができる。
【００５５】
光学ブロック１１１は、例えば、光学レンズ、フォーカス機構、シャッタ機構、および絞り（アイリス）機構などから構成され、被写体に反射した光（の像）を集め、すなわち、被写体の像を光をCCD（Charge Coupled Devices）１１３の受光部に結像させる。光学ブロック１１１は、レンズアイリスドライバ１１２により駆動される。
【００５６】
レンズアイリスドライバ１１２は、CPU１１９からの制御に応じて、光学ブロック１１１を動作させる駆動信号を生成し、生成した駆動信号を光学ブロック１１１に供給して、光学ブロック１１１を動作させる。例えば、レンズアイリスドライバ１１２は、画像の撮像時に、ユーザの指示に基づいて、合焦させたり、絞りを調節して光量を調整させるための駆動信号を光学ブロック１１１に供給する。
【００５７】
CCD１１３は、CCDセンサから構成され、CCDドライバ１１４から供給される駆動信号に応じて、光学ブロック１１１により結像された光（像）を光電変換することにより、光をアナログの電気信号に変換する。CCD１１３は、CPU１１９により制御されるタイミング生成回路１１４からのタイミング信号を基に、変換したアナログ信号である画像データを前処理回路１１６に供給する。
【００５８】
なお、CCD１１３は、CCDセンサに限らず、例えば、CMOS（Complementary Metal Oxide Semiconductor）センサなど、画素を単位として画像の信号を生成する撮像素子であればよい。
【００５９】
タイミング生成回路１１４は、CPU１１９による制御を基に、CCD１１３の動作の時間的な基準となるタイミング信号を生成し、生成したタイミング信号を、CCD１１３およびCCDドライバ１１５に供給する。
【００６０】
CCDドライバ１１５は、タイミング生成回路１１４から供給されるタイミング信号を基に、CCD１１３を駆動するための駆動信号を生成し、生成した駆動信号をCCD１１３に供給する。
【００６１】
前処理回路１１６は、CCD１１３から供給されるアナログ信号である画像データに対して、CDS（Correlated Double Sampling）処理を行い、S/N（Signal/Noise）比を良好に保つようにするとともに、AGC（Automatic Gain Control）処理を行い、利得を制御する。そして、前処理回路１１６は、A/D（Analog/Digital）変換を行い、アナログ信号をデジタル信号に変換し、変換したデジタル信号である画像データをDSP（Digital Signal Processor）１１７に供給する。
【００６２】
DSP１１７は、例えば、専用のIC（Integrated Circuit）である専用DSP、または汎用DSPなどからなる。
【００６３】
DSP１１７は、前処理回路１１６から供給されるデジタル信号である画像データに対して、画像処理を適用する。DSP１１７は、例えば、AF（Auto Focus）処理部１４１、AE（Auto Exposure）処理部１４２、AWB（Auto White Balance）処理部１４３、および圧縮伸張部１４４などを含み、前処理回路１１６から供給された画像データに所定のカメラ信号処理を適用し、所定のカメラ信号処理により、種々の調整がされた画像データを所定の圧縮方式で圧縮する。また、DSP１１７は、SDRAMコントローラ１４５を含む。
【００６４】
DSP１１７は、CPU１１９の制御を基に、バス１２６を介して、圧縮した画像データをドライブコントローラ１２４に供給し、記録媒体１２５に画像データをファイルとして記録させる。
【００６５】
また、DSP１１７は、タッチパネル１５２やコントロールキー（図示せず）などを通じて受け付けたユーザからの操作入力に応じて、目的とする画像データが記録媒体１２５から読み出された場合、バス１２６を介して、記録媒体１２５から供給されるデータ圧縮されている画像データを、そのデータ圧縮に応じた所定の伸張処理（解凍処理）を行うことで、画像データを伸張し、伸張した画像データを、バス１２６を介して、ディスプレイコントローラ１２２に供給する。
【００６６】
SDRAM１１８に記憶される前処理回路１１６から供給された画像データに対して、AF処理部１４１は、被写体に焦点（ピント）を合わせる処理（いわゆる、オートフォーカス）を行い、AE処理部１４２は、被写体の明るさを基に露出を決定する処理（いわゆる、自動露出）を行い、AWB処理部１４３は、白色である予め定められたの基準の色を基に全体の画像データを補正する処理（いわゆる、ホワイトバランス）を行う。
【００６７】
圧縮伸張部１４４は、所定のカメラ信号処理により、種々の調整がされた画像データを所定の圧縮方式で圧縮する。例えば、圧縮伸張部１４４は、画像データをJPEG（Joint Photographic Experts Group）方式で圧縮する。これにより、画像データのデータ量を減らしてから、画像データを記録媒体１２５に記録することができる。
【００６８】
また、圧縮伸張部１４４は、画像データが記録媒体１２５から読み出された場合、バス１２６を介して、記録媒体１２５から供給される圧縮されている画像データを、その圧縮の方式に応じた所定の伸張処理（解凍処理）を行うことで、画像データを伸張する。伸張した画像データは、バス１２６を介して、ディスプレイコントローラ１２２に供給される。
【００６９】
SDRAMコントローラ１４５は、DSP１１７が実行するプログラムや各種データに基づいて、SDRAM１１８を制御することにより、一時的にそれらのプログラムや各種データをSDRAM１１８に記憶させる。
【００７０】
SDRAM１１８は、SDRAMコントローラ１４５の制御に基づいて、DSP１１７が実行するプログラムや各種データなどを適宜記憶する。例えば、SDRAM１１８が、前処理回路１１６から供給される画像データを一時的に記憶することで、DSP１１７は、一時的に記憶された画像データに対して、所定のカメラ信号処理、および画像データを圧縮する処理を適用して、圧縮された画像データを生成する。生成された画像データは、SDRAM１１８から読み出され、バス１２６を介して、ドライブコントローラ１２４に供給される。
【００７１】
CPU１１９は、レンズアイリスドライバ１１２、タイミング生成回路１１４、またはDSP１１７など、デジタルビデオカメラ１０１の各部を制御する。例えば、CPU１１９は、画像を撮像する場合、レンズアイリスドライバ１１２を制御して、光学ブロック１１１を動作するようにする駆動信号を生成させて、生成した駆動信号を光学ブロック１１１に供給することで、光学ブロック１１１を動作させる。
【００７２】
また、CPU１１９は、フラッシュROM（Read Only Memory）１２１またはRAM（Random Access Memory）１２０に記憶されているプログラムに従って各種の処理を実行する。例えば、CPU１１９は、フラッシュROM１２１に記憶されている制御プログラム（例えば、後述する制御プログラム２０１）に従って各種の処理を実行する。
【００７３】
RAM１２０は、CPU１１９が実行するプログラムや各種のデータなどが適宜記憶される。フラッシュROM１２１は、CPU１１９が実行するプログラムや各種のデータを記録する。これらのCPU１１９、RAM１２０、およびフラッシュROM１２１は、バス１２６により相互に接続される。
【００７４】
バス１２６には、さらに、DSP１１７、ディスプレイコントローラ１２２、およびドライブコントローラ１２４が接続されている。
【００７５】
ディスプレイコントローラ１２２は、DSP１１７から供給される画像データを基に、表示部１２３に供給する画像信号を生成し、生成した画像信号を表示部１２３に供給する。ディスプレイコントローラ１２２は、画像信号を表示部１２３に供給することにより、表示部１２３の表示を制御する。
【００７６】
表示部１２３は、ディスプレイコントローラ１２２から供給される画像信号を基に、画像信号に応じた画像を表示画面に表示する。
【００７７】
なお、画像の表示の形態は、フラッシュROM１２１に記録された制御プログラム（例えば、後述する制御プログラム２０１）に従う。すなわち、ディスプレイコントローラ１２２は、CPU１１９の実行する制御プログラムに従って、表示部１２３の画面に表示する、画像の表示の形態を決定する。
【００７８】
表示部１２３は、カラー液晶表示部１５１およびタッチパネル１５２を含む。
【００７９】
カラー液晶表示部１５１は、例えば、LCD（Liquid Crystal Display）などからなり、ディスプレイコントローラ１２２から供給される画像信号を基に、画像信号に応じた画像を表示する。これにより、例えば、記録媒体１２５に記録されている画像データに応じた画像が、カラー液晶表示部１５１の画面に表示される。
【００８０】
カラー液晶表示部１５１に重畳されたタッチパネル１５２は、カラー液晶表示部１５１の画面を透過するようになされており、カラー液晶表示部１５１に表示された操作画面のキーなどを選択するユーザの操作を受け付けて、その操作位置を示す位置情報を示す信号をCPU１１９に供給する。
【００８１】
ドライブコントローラ１２４は、記録媒体１２５に対応した所定のインターフェイスから構成され、DSP１１７から供給された画像データを記録媒体１２５に記録させるか、または記録媒体１２５に記録されている画像データを読み出して、DSP１１７またはCPU１１９などに供給する。例えば、ドライブコントローラ１２４は、記録媒体１２５が光ディスク１６２の場合、その光ディスク１６２に対応した所定のインターフェイスで構成され、DSP１１７から供給された画像データを光ディスク１６２に記録させる。
【００８２】
記録媒体１２５は、例えば、磁気ディスク１６１（例えば、HDD（Hard Disk））、光ディスク１６２（例えば、記録可能なCD（Compact Disc）や記録可能なDVD（Digital Versatile Disc））、光磁気ディスク１６３（例えば、MD（Mini-Disc）（商標））、または半導体メモリ１６４（例えば、メモリーカード）などから構成され、着脱が可能である。
【００８３】
CPU１２７は、CPU１１９から供給されたレジューム情報をRAM１２８に記憶させるか、またはRAM１２８に記憶されているレジューム情報をCPU１１９に供給する。すなわち、CPU１１９は、CPU１２７とRAM１２８との間で、データの受け渡しを行う。また、CPU１２７は、リモコン受信部１２９から供給された信号（操作信号）をCPU１１９に供給する。なお、CPU１２７は、CPU１１９と一体としてもよい。
【００８４】
ここで、レジューム情報とは、再生種別とレジュームポイントからなる情報である。再生種別には、例えば、動画（動画像）、静止画（静止画像）、プレイリストなどがあり、動画は、RAM１２８に記憶されている再生種別が動画であることを示し、静止画は、RAM１２８に記憶されている再生種別が静止画であることを示し、プレイリストは、RAM１２８に記憶されている再生種別が、動画または静止画から、好みのものを選択して任意の順序で再生させるプレイリストであることを示す。また、レジュームポイントは、光ディスク１６２の次回再生開始ポイントを指示する情報をいい、例えば、光ディスク１６２の先頭の再生ポイントから次回再生開始ポイントまでの時間として、再生種別ごとに、RAM１２８に記憶される。なお、レジュームポイントは、時間データ以外の形式であってよい。
【００８５】
RAM１２８は、例えば、フラッシュメモリまたはEEPROM（Electronically Erasable and Programmable Read Only Memory）などの不揮発性メモリなどから構成され、レジューム情報などのCPU１１９が実行する各種のデータなどが適宜記憶される。
【００８６】
リモコン受信部１２９は、ユーザの操作に対応してリモートコントローラ（以下、リモコンと称する）１３０から送信される制御信号を受信し、受信した制御信号に対応する信号（操作信号）を、CPU１２７を介して、CPU１１９に供給する。
【００８７】
リモコン１３０は、ユーザの操作により、制御信号を生成し、生成した制御信号をデジタルビデオカメラ１０１に供給する。
【００８８】
図３は、CPU１１９において実行される制御プログラム２０１の構成を示すブロック図である。
【００８９】
制御プログラム２０１は、例えば、フラッシュROM１２１に記憶される。また、制御プログラム２０１は、フラッシュROM１２１からRAM１２０に適宜記憶され、CPU１１９により実行される。例えば、制御プログラム２０１は、再生種別判定部２１１から供給された再生種別を基に、レジューム動画再生制御の処理、レジューム静止画再生制御の処理、またはレジュームプレイリスト再生制御の処理を実行する。
【００９０】
再生種別判定部２１１は、ユーザの操作を基に、再生種別が、動画、静止画、またはプレイリストのいずれかであるかを判定する。再生種別判定部２１１は、判定した結果である再生種別をレジューム情報記憶制御部２１２に供給する。
【００９１】
例えば、再生種別判定部２１１は、ユーザの操作により、ドライブ（図示せず）から、光ディスク１６２が取り出されるか、動画が記録されるか、または動画タブ（例えば、後述する動画タブ３０６）が選択された場合の操作画面（以下、ビジュアルインデックス画面と称する）が表示された場合、再生種別が動画であると判定し、動画である再生種別をレジューム情報記憶制御部２１２に供給する。
【００９２】
また、例えば、再生種別判定部２１１は、ユーザの操作により、静止画が記録されるか、または静止画タブ（例えば、後述する静止画タブ３０７）が選択された場合のビジュアルインデックス画面が表示された場合、再生種別が静止画であると判定し、静止画である再生種別をレジューム情報記憶制御部２１２に供給する。
【００９３】
さらに、例えば、再生種別判定部２１１は、プレイリストタブ（例えば、後述するプレイリストタブ３０８）が選択された場合のビジュアルインデックス画面が表示された場合、再生種別がプレイリストであると判定し、プレイリストである再生種別をレジューム情報記憶制御部２１２に供給する。
【００９４】
また、再生種別判定部２１１は、RAM１２８に記憶されている再生種別を取得し、取得した再生種別を基に、再生種別が、動画、静止画、またはプレイリストのいずれかであるかを判定する。再生種別判定部２１１は、判定の結果として、再生種別を制御プログラム２０１に供給する。
【００９５】
例えば、再生種別判定部２１１は、RAM１２８に記憶されている再生種別が動画である場合、取得した再生種別を基に、再生種別が動画であると判定し、動画である判定種別を制御プログラム２０１に供給する。
【００９６】
レジューム情報記憶制御部２１２は、再生種別判定部２１１から供給された再生種別を基に、再生種別をRAM１２８に記憶させる。
【００９７】
例えば、RAM１２８に記憶されている再生種別が静止画に設定されている場合、レジューム情報記憶制御部２１２は、再生種別判定部２１１から供給された動画である再生種別を基に、再生種別を静止画から動画に変更して設定し、RAM１２８に記憶させる。
【００９８】
また、レジューム情報記憶制御部２１２は、デジタルビデオカメラ１０１に装着された光ディスク１６２に記録されている画像データおよびタッチパネル１５２から供給された信号を基に、次回再生開始ポイントとして、レジュームポイントをRAM１２８に記憶させる。
【００９９】
ここで、レジュームポイントとは、上述したように、光ディスク１６２の次回再生開始ポイントを指示する情報をいい、例えば、光ディスク１６２の先頭の再生ポイントから次回再生開始ポイントまでの時間として、RAM１２８に記憶される。なお、レジュームポイントは、時間データ以外の形式であってよい。
【０１００】
例えば、レジューム情報記憶制御部２１２は、ユーザにより動画のチャプターの再生途中（例えば、時刻taである時刻）で停止キー（例えば、後述する停止キー４０１）が触れられた場合、デジタルビデオカメラ１０１に装着された光ディスク１６２に記録されている動画の画像データおよびタッチパネル１５２から供給された信号を基に、チャプターの途中の時刻taである時刻を示す情報をレジュームポイントとして、RAM１２８に記憶させる。
【０１０１】
また、例えば、レジューム情報記憶制御部２１２は、ユーザにより静止画のチャプターの再生途中で停止キー（図示せず）が触れられた場合、デジタルビデオカメラ１０１に装着された光ディスク１６２に記録されている静止画の画像データおよびタッチパネル１５２から供給された信号を基に、再生途中である静止画のチャプターを示す情報をレジュームポイントとして、RAM１２８に記憶させる。
【０１０２】
さらに、レジューム情報記憶制御部２１２は、デジタルビデオカメラ１０１に装着された光ディスク１６２に記録されている画像データを基に、RAM１２８に記憶されているレジュームポイントを削除する。
【０１０３】
すなわち、レジューム情報記憶制御部２１２は、動画の再生の終端に到達した場合、画像データをレジューム再生させる必要がなくなるので（次の再生では、光ディスク１６２の先頭の再生ポイントから再生を開始させるので）、RAM１２８に記憶されているレジュームポイントを削除する。
【０１０４】
例えば、レジューム情報記憶制御部２１２は、RAM１２８に記憶されているチャプターの再生途中の時刻taである時刻を示すレジュームポイントを削除する。
【０１０５】
画面表示制御部２１３、デジタルビデオカメラ１０１に装着された光ディスク１６２に記録されている画像データおよびRAM１２８に記憶されているレジューム情報（再生種別およびレジュームポイント）を基に、サムネイル表示領域にサムネイル画像を表示させることで、動画タブが選択されたビジュアルインデックス画面をカラー液晶表示部１５１に表示させる。また、画面表示制御部２１３は、サムネイル表示領域に表示されている所定のサムネイル画像に対して、レジュームアイコンを重畳させる。
【０１０６】
例えば、画面表示制御部２１３は、デジタルビデオカメラ１０１に装着された光ディスク１６２に記録されている動画の画像データ、並びにRAM１２８に記憶されている動画である再生種別およびチャプターの途中の時刻taである時刻を示すレジュームポイントを基に、サムネイル表示領域にサムネイル画像を表示させて、サムネイル表示領域に表示されたサムネイル画像のうち、１つのサムネイル画像に対して、レジュームアイコン（例えば、後述するレジュームアイコン３０２）を表示させることで、動画タブが選択されたビジュアルインデックス画面をカラー液晶表示部１５１に表示させる。
【０１０７】
また、例えば、画面表示制御部２１３は、デジタルビデオカメラ１０１に装着された光ディスク１６２に記録されている静止画の画像データ、並びにRAM１２８に記憶されている静止画である再生種別および再生途中である静止画のチャプターを示すレジュームポイントを基に、サムネイル表示領域にサムネイル画像を表示させて、サムネイル表示領域に表示されたサムネイル画像のうち、１つのサムネイル画像に対して、レジュームアイコン（例えば、後述するレジュームアイコン３２２）を表示させることで、静止画タブが選択されたビジュアルインデックス画面をカラー液晶表示部１５１に表示させる。
【０１０８】
操作判定部２１４は、タッチパネル１５２から供給される信号を基に、ユーザが動画タブが選択されたビジュアルインデックス画面のサムネイル表示領域に表示されているサムネイル画像を触れたか（タッチパネル１５２が押圧されたか）否かを判定する。
【０１０９】
例えば、操作判定部２１４は、タッチパネル１５２から供給される信号を基に、ユーザが動画タブが選択されたビジュアルインデックス画面のサムネイル表示領域に表示されているサムネイル画像を触れたか（タッチパネル１５２が押圧されたか）否かを判定する。また、例えば、操作判定部２１４は、タッチパネル１５２から供給される信号を基に、ユーザが動画を再生する再生画面の停止キー（例えば、後述する停止キー４０１）を触れたか（タッチパネル１５２が押圧されたか）否かを判定する。
【０１１０】
また、操作判定部２１４は、リモコン受信部１２９から供給された信号を基に、ユーザにより、リモコン１３０の操作がされたか否かを判定する。
【０１１１】
例えば、操作判定部２１４は、リモコン受信部１２９から供給された信号を基に、ユーザにより、リモコン１３０の再生(PLAY)キー（例えば、後述する再生(PLAY)キー２５９）が押下されたか否かを判定する。
【０１１２】
さらに、操作判定部２１４は、タッチパネル１５２から供給される信号を基に、ユーザにより、ビジュアルインデックス画面を表示させる操作がされたか否かを判定する。
【０１１３】
例えば、操作判定部２１４は、ユーザにより、ビジュアルインデックス画面の動画タブ、静止画タブ、またはプレイリストタブのいずれかが選択された場合、タッチパネル１５２から供給される信号を基に、いずれかのビジュアルインデックス画面を表示させる処理がされたと判定する。
【０１１４】
レジューム情報判定部２１５は、ユーザにより触れられたサムネイル領域に表示されているサムネイル画像にレジュームアイコンが重畳されているか否かを判定する。なお、レジューム情報判定部２１５は、RAM１２８に記憶されているレジュームポイントを基に、レジュームポイントとして記憶されている時刻が、サムネイル画像に対応した画像データが再生される時間に含まれるか否かを判定するようにしてもよい。
【０１１５】
例えば、レジューム情報判定部２１５は、動画タブが選択されたビジュアルインデックス画面のサムネイル表示領域に表示されているサムネイル画像のうち、ユーザにより触れられたサムネイル表示領域に表示されているサムネイル画像にレジュームアイコン（例えば、後述するレジュームアイコン３０２）が重畳されているか否かを判定する。
【０１１６】
再生処理部２１６は、デジタルビデオカメラ１０１に装着された光ディスク１６２に記録されている動画の画像データおよびRAM１２８に記憶されているレジュームポイントを基に、前回の操作で動画を停止した時刻（位置）から、動画の再生を再開させる。
【０１１７】
例えば、再生処理部２１６は、動画の画像データおよびRAM１２８に記憶されているレジュームポイントに含まれるチャプターの途中の時刻taである時刻を基に、前回の操作で動画を停止した時刻taである時刻から、動画の再生を開始させる。すなわち、チャプターの途中の時刻taである時刻から、動画の再生が開始される。
【０１１８】
また、再生処理部２１６は、デジタルビデオカメラ１０１に装着された光ディスク１６２に記録されている動画の画像データを基に、ユーザにより触られたサムネイル表示領域に表示されているサムネイル画像に対応したチャプターの先頭から動画の再生を開始させる。
【０１１９】
さらに、再生処理部２１６は、デジタルビデオカメラ１０１に装着された光ディスク１６２に記録されている静止画の画像データおよびRAM１２８に記憶されているレジュームポイントを基に、前回の操作で静止画を停止した時刻（位置）から、静止画の再生を再開させる。
【０１２０】
例えば、再生処理部２１６は、静止画の画像データおよびRAM１２８に記憶されている再生途中である静止画のチャプターを示すレジュームポイントを基に、前回の操作で静止画を停止したチャプターから、静止画の再生を再開させる。
【０１２１】
また、再生処理部２１６は、ユーザにより触れられたサムネイル表示領域に表示されているサムネイル画像に対応した静止画を再生させる。
【０１２２】
図４は、リモコン１３０の外観の一例を示している。リモコン１３０に設けられたスタート/ストップ（START/STOP）キー２５１は、動画撮像モードにおいては撮影の開始または停止を指示するために、静止画撮像モードにおいては撮像タイミングを指示するときに操作される。ズームキー２５２は、ズームインまたはズームアウトを指示するときに操作される。フォト(PHOTO)キー２５３は、動画撮影モードから静止画撮影モードへの切り換えを指示するときに操作される。データコードキー（DATACODE）２５４は、例えば、撮像した日付の情報やデジタルビデオカメラ１０１の機器の情報を表示させるときに操作される。
【０１２３】
逆方向スキャンキー２５５は、逆方向のスキャンまたはスロー再生を指示するときに操作される。順方向スキャンキー２５６は、順方向のスキャンまたはスロー再生を指示するときに操作される。
【０１２４】
プリビアスキー２５７は、逆方向の頭出しを指示するときに操作される。ネクストキー２５８は、順方向の頭出しを指示するときに操作される。再生(PLAY)キー２５９は、選択されている動画または静止画の再生を指示するときに操作される。一時停止(PAUSE)キー２６０は、動画の再生の一時停止を指示するときに操作される。停止(STOP)キー２６１は、動画の再生の停止を指示するときに操作される。ビジュアルインデックスキー（VISUAL INDEX）２６２は、ビジュアルインデックス画面を表示させるときに操作される。
【０１２５】
移動キー２６３−１乃至移動キー２６３−４は、操作画面上の選択位置（ハイライト表示の位置）を上下左右に移動させるときに操作される。決定(ENTER)キー２６４は、移動キー２６３−１乃至移動キー２６３−４によって示されている選択位置を確定するときに操作される。ディスプレイ（DISPLAY）キー２６５は、カラー液晶表示部１５１の表示を切り換えるときに操作される。
【０１２６】
次に、図５および図６を参照して、再生種別の詳細について説明する。上述したように、再生種別には、例えば、動画、静止画、またはプレイリストなどがある。
【０１２７】
まず、図５を参照して、操作画面（ビジュアルインデックス画面）を表示するデジタルビデオカメラ１０１のカラー液晶表示部１５１の画面の表示例について説明する。
【０１２８】
図中左上に示される画面は、動画タブ３０６が選択されている場合の操作画面（以下、動画のビジュアルインデックス画面と称する）の表示例であり、図中右上に示される画面は、静止画タブ３０７が選択されている場合の操作画面（以下、静止画のビジュアルインデックス画面と称する）の表示例であり、図中左下に示されている画面は、プレイリストタブ３０８が選択されている場合の操作画面（以下、プレイリストのビジュアルインデックス画面と称する）の表示例である。
【０１２９】
このように、デジタルビデオカメラ１０１は、撮影の際、録画スタートからストップまでを１チャプターとして記録し、そのチャプターに対応したサムネイル画像をビジュアルインデックス画面により一覧で表示させるので、ユーザは、ビジュアルインデックス画面に表示されているサムネイル画像から、見たいシーンを選ぶだけですぐに再生させることができる。すなわち、撮影日時などの文字情報だけではわかりにくい光ディスク１６２に記録されている画像データの内容であっても、ビジュアルインデックス画面に、チャプターに対応したサムネイル画像の一覧を表示させることで、より直感的に光ディクス１６２に記録されている内容を知ることができる。
【０１３０】
はじめに、図中左上に示される画面を参照して、動画のビジュアルインデックス画面について説明する。
【０１３１】
図中左上の動画のビジュアルインデックス画面において、サムネイル表示領域３０１−１乃至サムネイル表示領域３０１−６には、デジタルビデオカメラ１０１に装着された光ディスク１６２に記録されている画像データにそれぞれ対応するサムネイル画像が表示されている。
【０１３２】
サムネイル表示領域３０１−１およびサムネイル表示領域３０１−３乃至サムネイル表示領域３０１−６に表示されているサムネイル画像は、ユーザにより触れられる（タッチパネル１５２が押圧される）と、触れられたサムネイル表示領域に表示されているサムネイル画像に対応したチャプターの先頭から、動画の再生が開始される。
【０１３３】
また、サムネイル表示領域３０１−２に表示されているサムネイル画像に重畳されているレジュームアイコン３０２は、サムネイル表示領域３０１−２に表示されているサムネイル画像がユーザにより触れられる（タッチパネル１５２が押圧される）と、サムネイル表示領域３０１−２に表示されているサムネイル画像に対応したチャプターの再生を途中で停止した場所の続きから動画の再生を行うことを示す（すなわち、レジューム再生を行うことを示す）。
【０１３４】
このように、ユーザは、サムネイル表示領域３０１−１乃至サムネイル表示領域３０１−６に表示されているサムネイル画像のいずれかに重畳されているレジュームアイコン３０２を確認することにより、より直感的に、動画の再生を途中で停止した場所を知ることができる。
【０１３５】
上スクロールボタン３０３は、サムネイル表示領域３０１−１乃至サムネイル表示領域３０１−６に表示されるサムネイル画像を上方向にスクロールさせるときに操作される。操作の方法としては、ユーザがリモコン１３０の操作キー２６３−１乃至操作キー２６３−４を操作して、ハイライト表示を上スクロールボタン３０３まで移動させた後に決定キー２６４を操作するか、またはカラー液晶表示部１５１に表示された上スクロールボタン３０３（実際には、タッチパネル１５２）に接触すればよい。なお、以下に説明する他のボタンについても上スクロールボタン３０３と同様である。
【０１３６】
下スクロールボタン３０４は、サムネイル表示領域３０１−１乃至サムネイル表示領域３０１−６に表示されるサムネイル画像を下方向にスクロールさせるときに操作される。スライドバー３０５は、サムネイル表示領域３０１−１乃至サムネイル表示領域３０１−６に表示されるサムネイル画像を、上方向または下方向にスクロールさせるときにスライドされる。
【０１３７】
動画タブ３０６は、サムネイル表示領域３０１−１乃至サムネイル表示領域３０１−６に、デジタルビデオカメラ１０１に装着された光ディスク１６２に記録されている動画の画像データにそれぞれ対応するサムネイル画像を表示させるときに操作される。静止画タブ３０７は、後述するサムネイル表示領域３２１−１乃至サムネイル表示領域３２１−６に、デジタルビデオカメラ１０１に装着された光ディスク１６２に記録されている静止画の画像データにそれぞれ対応するサムネイル画像を表示させるときに操作される。プレイリストタブ３０８は、後述するサムネイル表示領域３４１−１乃至サムネイル表示領域３４１−６に、動画または静止画から、好みのものを選択して任意の順序で再生させるためのプレイリストを表示させるときに操作される。
【０１３８】
すなわち、ビジュアルインデックス画面においては、ユーザにより、動画タブ３０６、静止画タブ３０７、またはプレイリストタブ３０８のいずれかが選択される。なお、図中左上の動画のビジュアルインデックス画面においては、動画タブ３０６が選択されている。
【０１３９】
編集ボタン３０９は、ユーザにより、例えば、不要なシーン（チャプター）の削除や、動画や静止画を任意の順番に並べ替えるプレイリスト編集を行うときに操作される。
【０１４０】
光ディスク情報３１０は、デジタルビデオカメラ１０１に装着されている光ディスク１６２の情報を表示する。例えば、デジタルビデオカメラ１０１にDVD-RW（DVD Specifications for Re-recordable Disc）が装着されている場合、光ディスク情報３１０として、“-RW”である光ディスク１６２の種類および“VR”である記録フォーマットが表示される。
【０１４１】
メニューボタン３１１は、ユーザにより、メニュー画面を表示させるときに操作される。
【０１４２】
また、カラー液晶表示部１５１に表示されるビジュアルインデックス画面におけるハイライト表示（図示せず）であるが、ビジュアルインデックス画面においては、リモコン１３０を用いたユーザの操作位置を示すためにハイライト表示が行われる。すなわち、リモコン１３０の移動キー２６３−１乃至移動キー２６３−４を用いた操作が行われた場合、ビジュアルインデックス画面上の所定の位置（最終操作位置、または初期位置）のハイライト表示が行われる。そして、リモコン１３０を用いた操作が継続している期間は、ビジュアルインデックス画面上の操作に対応する位置のハイライト表示が行われ、ユーザがタッチパネル１５２に対して操作を行った場合、またはリモコン１３０を用いた操作が所定の期間行われなかった場合、ビジュアルインデックス画面上の所定の位置のハイライト表示は解除される。
【０１４３】
次に、図中右上のビジュアルインデックス画面を参照して、静止画のビジュアルインデックスの画面について説明する。図中右上の静止画のビジュアルインデックス画面において、図中左上の動画のビジュアルインデックス画面と同様の部分には、同一の符号が付してあり、その説明は（適宜）省略する。
【０１４４】
図中右上の静止画のビジュアルインデックス画面において、サムネイル表示領域３２１−１乃至サムネイル表示領域３２１−６には、デジタルビデオカメラ１０１に装着された光ディスク１６２に記録されている画像データにそれぞれ対応するサムネイル画像が表示されている。
【０１４５】
サムネイル表示領域３２１−１乃至サムネイル表示領域３２１−６に表示されているサムネイル画像は、ユーザにより触れられる（タッチパネル１５２が押圧される）と、触れられたサムネイル表示領域に表示されているサムネイル画像に対応した静止画の再生が開始される。
【０１４６】
また、サムネイル表示領域３２１−５に表示されているサムネイル画像に重畳されているレジュームアイコン３２２は、ユーザの操作により、リモコン１３０の再生(PLAY)キー２５９が押下されると、サムネイル表示領域３２１−５に表示されているサムネイル画像に対応した静止画から再生を開始させることを示す。
【０１４７】
このように、ユーザは、サムネイル表示領域３２１−１乃至サムネイル表示領域３２１−６に表示されているサムネイル画像のいずれかに重畳されているレジュームアイコン３２２を確認することにより、より直感的に、静止画の再生を途中で停止した場所を知ることができる。
【０１４８】
次に、図中左下のビジュアルインデックス画面を参照して、プレイリストのビジュアルインデックスの画面について説明する。図中左下のプレイリストのビジュアルインデックス画面において、図中左上の動画のビジュアルインデックス画面と同様の部分には、同一の符号が付してあり、その説明は（適宜）省略する。
【０１４９】
図中左下のプレイリストのビジュアルインデックス画面において、サムネイル表示領域３４１−１乃至サムネイル表示領域３４１−６には、デジタルビデオカメラ１０１に装着された光ディスク１６２に記録されている画像データにそれぞれ対応するサムネイル画像が表示されている。
【０１５０】
サムネイル表示領域３４１−１乃至サムネイル表示領域３４１−６に表示されているサムネイル画像は、動画の場合、ユーザにより触れられる（タッチパネル１５２が押圧される）と、触れられたサムネイル表示領域に表示されているサムネイル画像に対応したチャプターの先頭から、動画の再生が開始され、静止画の場合、ユーザにより触れられる（タッチパネル１５２が押圧される）と、触れられたサムネイル表示領域に表示されているサムネイル画像に対応した静止画の再生が開始される（いわゆる、スライドショーにより再生される）。
【０１５１】
また、サムネイル表示領域３４１−２に表示されているサムネイル画像に重畳されているレジュームアイコン３４２は、動画の場合、サムネイル表示領域３４１−２に表示されているサムネイル画像がユーザにより触れられる（タッチパネル１５２が押圧される）と、サムネイル表示領域３４１−２に表示されているサムネイル画像に対応したチャプターの再生を途中で停止した場所の続きから動画の再生を行うことを示し、静止画の場合、ユーザの操作により、リモコン１３０の再生(PLAY)キー２５９が押下されると、サムネイル表示領域３４１−２に表示されているサムネイル画像に対応した静止画から再生を開始させることを示す。
【０１５２】
このように、ユーザは、サムネイル表示領域３４１−１乃至サムネイル表示領域３４１−６に表示されているサムネイル画像のいずれかに重畳されているレジュームアイコン３４２を確認することにより、より直感的に、動画や静止画の再生を途中で停止した場所を知ることができる。
【０１５３】
また、動画、静止画、およびプレイリストのそれぞれに対するレジュームポイントをRAM１２８に記憶しているので、動画、静止画、またはプレイリストのそれぞれに関して、次回再生開始ポイントから再生を開始することができる。その結果、デジタルビデオカメラ１０１によるレジューム再生の操作性を向上させることができる。
【０１５４】
次に、図６のフローチャートを参照して、再生種別設定制御の処理について説明する。
【０１５５】
ステップＳ１１において、再生種別判定部２１１は、ユーザの操作により、ドライブから、光ディスク１６２が取り出されたか否かを判定する。再生種別判定部２１１は、判定した結果である再生種別をレジューム情報記憶制御部２１２に供給する。
【０１５６】
ステップＳ１１において、光ディスク１６２がドライブから取り出されたと判定された場合、ステップＳ１２に進み、レジューム情報記憶制御部２１２は、再生種別判定部２１１から供給された再生種別を基に、再生種別を動画に設定して、RAM１２８に記憶させる。
【０１５７】
例えば、RAM１２８に記憶されている再生種別が静止画に設定されている場合、ステップＳ１２において、レジューム情報記憶制御部２１２は、再生種別判定部２１１から供給された動画である再生種別を基に、再生種別を静止画から動画に変更して設定し、RAM１２８に記憶させる。
【０１５８】
一方、ステップＳ１１において、光ディスク１６２がドライブから取り出されていないと判定された場合、ステップＳ１３に進み、再生種別判定部２１１は、ユーザの操作により、動画が記録されたか否かを判定する。再生種別判定部２１１は、判定した結果である再生種別をレジューム情報記憶制御部２１２に供給する。
【０１５９】
ステップＳ１３において、動画が記録されたと判定された場合、ステップＳ１２に進み、レジューム情報記憶制御部２１２は、再生種別判定部２１１から供給された再生種別を基に、再生種別を動画に設定して、RAM１２８に記憶させる。
【０１６０】
例えば、ユーザがデジタルビデオカメラ１０１を動画撮像モードで動作させて、被写体を撮像した場合、ステップＳ１２において、レジューム情報記憶制御部２１２は、再生種別判定部２１１から供給された動画である再生種別を基に、再生種別を動画に設定して、RAM１２８に記憶させる。
【０１６１】
一方、ステップＳ１３において、動画が記録されていないと判定された場合、ステップＳ１４に進み、再生種別判定部２１１は、動画のビジュアルインデックス画面が表示されたか否かを判定する。再生種別判定部２１１は、判定した結果である再生種別をレジューム情報記憶制御部２１２に供給する。
【０１６２】
ステップＳ１４において、動画のビジュアルインデックス画面が表示されたと判定された場合、ステップＳ１２に進み、レジューム情報記憶制御部２１２は、再生種別判定部２１１から供給された再生種別を基に、再生種別を動画に設定して、RAM１２８に記憶させる。
【０１６３】
例えば、ユーザの操作により、動画タブ３０６が選択されて動画のビジュアルインデックス画面が表示された場合、ステップＳ１２において、レジューム情報記憶制御部２１２は、再生種別判定部２１１から供給された動画である再生種別を基に、再生種別を動画に設定して、RAM１２８に記憶させる。
【０１６４】
一方、ステップＳ１４において、動画のビジュアルインデックス画面が表示されていないと判定された場合、ステップＳ１５に進み、再生種別判定部２１１は、ユーザの操作により、静止画が記録されたか否かを判定する。再生種別判定部２１１は、判定した結果である再生種別をレジューム情報記憶制御部２１２に供給する。
【０１６５】
ステップＳ１５において、静止画が記録されたと判定された場合、ステップＳ１６に進み、レジューム情報記憶制御部２１２は、再生種別判定部２１１から供給された再生種別を基に、再生種別を静止画に設定して、RAM１２８に記憶させる。
【０１６６】
例えば、RAM１２８に記憶されている再生種別が動画に設定されている場合、ステップＳ１６において、レジューム情報記憶制御部２１２は、再生種別判定部２１１から供給された静止画である再生種別を基に、再生種別を動画から静止画に変更して設定し、RAM１２８に記憶させる。
【０１６７】
具体的には、例えば、ユーザがデジタルビデオカメラ１０１を静止画撮像モードで動作させて、被写体を撮像した場合、ステップＳ１６において、レジューム情報記憶制御部２１２は、再生種別判定部２１１から供給された静止画である再生種別を基に、再生種別を静止画に設定して、RAM１２８に記憶させる。
【０１６８】
一方、ステップＳ１５において、静止画が記録されていないと判定された場合、ステップＳ１７に進み、再生種別判定部２１１は、静止画のビジュアルインデックス画面が表示されたか否かを判定する。再生種別判定部２１１は、判定した結果である再生種別をレジューム情報記憶制御部２１２に供給する。
【０１６９】
ステップＳ１７において、静止画のビジュアルインデックス画面が表示されたと判定された場合、ステップＳ１６に進み、レジューム情報記憶制御部２１２は、再生種別判定部２１１から供給された再生種別を基に、再生種別を静止画に設定して、RAM１２８に記憶させる。
【０１７０】
例えば、ユーザの操作により、静止画タブ３０７が選択されて静止画のビジュアルインデックス画面が表示された場合、ステップＳ１６において、レジューム情報記憶制御部２１２は、再生種別判定部２１１から供給された静止画である再生種別を基に、再生種別を静止画に設定して、RAM１２８に記憶させる。
【０１７１】
一方、ステップＳ１７において、静止画のビジュアルインデックス画面が表示されていないと判定された場合、ステップＳ１８に進み、再生種別判定部２１１は、プレイリストのビジュアルインデックス画面が表示されているか否かを判定する。再生種別判定部２１１は、判定した結果である再生種別をレジューム情報記憶制御部２１２に供給する。
【０１７２】
ステップＳ１８において、プレイリストのビジュアルインデックス画面が表示されていると判定された場合、ステップＳ１９に進み、レジューム情報記憶制御部２１２は、再生種別判定部２１１から供給された再生種別を基に、再生種別をプレイリストに設定して、RAM１２８に記憶させる。
【０１７３】
例えば、RAM１２８に記憶されている再生種別が動画に設定されている場合、ステップＳ１９において、レジューム情報記憶制御部２１２は、再生種別判定部２１１から供給されたプレイリストである再生種別を基に、再生種別を動画からプレイリストに変更して設定し、RAM１２８に記憶させる。
【０１７４】
具体的には、例えば、ユーザの操作により、プレイリストタブ３０８が選択されてプレイリストのビジュアルインデックス画面が表示された場合、ステップＳ１９において、レジューム情報記憶制御部２１２は、再生種別判定部２１１から供給されたプレイリストである再生種別を基に、再生種別をプレイリストに設定して、RAM１２８に記憶させる。
【０１７５】
一方、ステップＳ１８において、プレイリストのビジュアルインデックス画面が表示されていないと判定された場合、ステップＳ２０に進み、再生種別判定部２１１は、ユーザにより編集操作が実行されたか否かを判定する。再生種別判定部２１１は、判定した結果である再生種別をレジューム情報記憶制御部２１２に供給する。
【０１７６】
ステップＳ２０において、編集操作が実行されたと判定された場合、ステップＳ１２の処理、ステップＳ１６の処理、またはステップＳ１９の処理のうち、いずれかの処理を実行して最適な再生種別を設定し、RAM１２８に記憶させる。
【０１７７】
例えば、ステップＳ２０において、ユーザにより、動画を削除するか、または動画を分割する編集処理が実行されたと判定された場合、ステップＳ１２に進み、レジューム情報記憶制御部２１２は、再生種別判定部２１１から供給された動画である再生種別を基に、再生種別を動画に設定して、RAM１２８に記憶させる。
【０１７８】
また、例えば、ステップＳ２０において、ユーザにより、静止画を削除する編集処理が実行されたと判定された場合、ステップＳ１６に進み、レジューム情報記憶制御部２１２は、再生種別判定部２１１から供給された静止画である再生種別を基に、再生種別を静止画に設定して、RAM１２８に記憶させる。
【０１７９】
さらに、例えば、ステップＳ２０において、ユーザにより、動画若しくは静止画をプレイリストに追加するか、プレイリストを消去するか、またはプレイリストの中のチャプターを移動若しくは分割する編集処理が実行されたと判定された場合、ステップＳ１９に進み、レジューム情報記憶制御部２１２は、再生種別判定部２１１から供給されたプレイリストである再生種別を基に、再生種別をプレイリストに設定して、RAM１２８に記憶させる。
【０１８０】
一方、ステップＳ２０において、編集操作が実行されていないと判定された場合、ステップＳ１１の処理に戻り、上述した処理を繰り返す。
【０１８１】
次に、図７乃至図９を参照して、本発明のデジタルビデオカメラ１０１による動画のレジューム再生機能を説明する。
【０１８２】
まず、図７を参照して、本発明のデジタルビデオカメラ１０１の再生停止操作について説明する。また、図７で示される例において、図５に示す場合と同様の部分には、同一の符号が付してあり、その説明は（適宜）省略する。
【０１８３】
図７の上側は、左側のデジタルビデオカメラ１０１のカラー液晶表示部１５１に表示される操作画面（ビジュアルインデックス画面）と、右側の動画を再生している画面（以下、再生画面と称する）とを示している。
【０１８４】
また、図７の下側の四角は、デジタルビデオカメラ１０１により撮像した動画のチャプターを時系列に並べたものを示す。すなわち、デジタルビデオカメラ１０１は、録画スタートからストップまでを１つのキャプチャー（かたまり）として記録するので、図７の下側の四角のそれぞれは、左から撮像した時間が古い順に、チャプター１、チャプター２、チャプター３、チャプター４、チャプター５、チャプター６、チャプター７、チャプター８、チャプター９のように時系列で並んでいる。言い換えれば、ユーザは、録画スタートをしてから、ストップするまでの操作を９回繰り返したことになる。
【０１８５】
なお、四角の横の長さが長いほど撮像時間が長いことを示し、それに対して、四角の長さが短いほど撮像時間が短いことを示す。
【０１８６】
図中左上の動画のビジュアルインデックス画面において、サムネイル表示領域３０１−１乃至サムネイル表示領域３０１−６には、デジタルビデオカメラ１０１に装着された光ディスク１６２に記録されている画像データにそれぞれ対応するサムネイル画像が表示されている。動画のビジュアルインデックス画面においては、動画タブ３０６が選択されている。
【０１８７】
また、サムネイル表示領域３０１−１乃至サムネイル表示領域３０１−６に表示されているサムネイル画像は、図７の下側の四角で示されるチャプターに対応している。具体的には、サムネイル表示領域３０１−１に表示されているサムネイル画像は、チャプター１と対応しており、チャプター１の四角の左側の端が録画をスタートした時刻となり、四角の右側の端が録画をストップした時刻となる。同様に、サムネイル表示領域３０１−２乃至サムネイル表示領域３０１−６に表示されているサムネイル画像のそれぞれは、チャプター２乃至チャプター６のそれぞれと対応している。
【０１８８】
さらに、図示はしていないが、上スクロールボタン３０３により、サムネイル表示領域３０１−１乃至サムネイル表示領域３０１−６に表示されるサムネイル画像を上方向にスクロールさせたときに、サムネイル表示領域３０１−４乃至サムネイル表示領域３０１−６に表示されるサムネイル画像のそれぞれは、チャプター７乃至チャプター９のそれぞれと対応している。
【０１８９】
また、図中左上の動画のビジュアルインデックス画面においては、レジューム情報に動画の再生を途中で停止した場所の情報（レジュームポイント）の情報が含まれていないので、チャプター１の先頭から動画を再生することとなり、サムネイル表示領域３０１−１に表示されているサムネイル画像に対して、レジュームアイコン３０２が重畳されている。
【０１９０】
動画のビジュアルインデックス画面において、ユーザの操作により、サムネイル表示領域３０１−１乃至サムネイル表示領域３０１−６に表示されているサムネイル画像のうち、サムネイル表示領域３０１−３に表示されているサムネイル画像が触れられることで（タッチパネル１５２が押圧されることで）、サムネイル表示領域３０１−３に表示されているサムネイル画像と対応しているチャプター３から動画の再生が開始する（図中右上の再生画面）。すなわち、チャプター３の録画をスタートした時刻t1である時刻から、動画の再生が開始する。
【０１９１】
図中右上の再生画面は、チャプター３の時刻t1から再生される動画を示す。また、停止キー４０１は、動画データの再生の停止を指示するときに操作される。プリビアスキー４０２は、逆方向の頭出しを指示するときに操作される。再生/一時停止キー４０３は、選択されている動画データの再生を指示するときに操作されるか、または動画データの再生の一時停止を指示するときに操作される。ネクストキー４０４は、順方向の頭出しを指示するときに操作される。セットアップ（SET UP）キー４０５は、設定を行うときに操作される。
【０１９２】
ここで、時刻t1から時刻t2までの間（チャプター３からチャプター６の途中まで）、動画を再生し続けた後、ユーザの操作により、図中右上の再生画面に表示されているキーのうち、停止キー４０１が触れられることで（タッチパネル１５２が押圧されることで）、動画は停止し、図中左下の動画のビジュアルインデックス画面に遷移する。
【０１９３】
このとき、サムネイル表示領域３０１−６のサムネイル画像上には、チャプター６の途中で停止キー４０１が触れられたので、レジュームアイコン３０２が表示される。また、チャプター６の途中（時刻t2である時刻）で停止キー４０１が触れられたことで、時刻t2である時刻に、レジュームポイントとして、ハッチングを施した領域が示されている。なお、レジューム情報記憶制御部２１２は、このレジュームポイント（例えば、時刻t2である時刻）をRAM１２８に記憶させる。
【０１９４】
このように、ユーザにより停止操作されると（停止キー４０１が触れられると）、図中左下の動画のビジュアルインデックス画面に戻るので、ユーザは、サムネイル表示領域３０１−１乃至サムネイル表示領域３０１−６のサムネイル画像上のいずれかに表示されているレジュームアイコン３０２を確認することにより（再生を途中で停止した場所がわかるので）、動画を停止した場所の続きから再開することができる。
【０１９５】
次に、図８を参照して、本発明のデジタルビデオカメラ１０１のレジューム再生機能について説明する。
【０１９６】
図８の上側は、左側のデジタルビデオカメラ１０１のカラー液晶表示部１５１に表示されるビジュアルインデックス画面と、右側の再生画面とを示している。また、図８の下側の四角は、デジタルビデオカメラ１０１により撮像した動画のチャプターを時系列に並べたものを示す。
【０１９７】
また、図７に示す場合と同様の部分には、同一の符号が付してあり、その説明は（適宜）省略する。すなわち、図８で示される例は、図７を参照して説明した本発明のデジタルビデオカメラ１０１の再生停止操作により、チャプター６の途中（時刻t2である時刻）で停止キー４０１が触れられたことで、時刻t2である時刻に、レジュームポイントとして、ハッチングを施した領域が示されている。
【０１９８】
ここで、ユーザの操作により、サムネイル表示領域３０１−１乃至サムネイル表示領域３０１−６に表示されているサムネイル画像のうち、サムネイル表示領域３０１−６に表示されているレジュームアイコン３０２が重畳されたサムネイル画像が触れられることで（タッチパネル１５２が押圧されることで）、サムネイル表示領域３０１−６に表示されているサムネイル画像と対応しているチャプター６の途中から動画の再生が開始される。すなわち、前回の操作で動画を停止したチャプター６の途中の時刻t2である時刻から、動画の再生が再開される。
【０１９９】
このように、ユーザは、サムネイル表示領域３０１−１乃至サムネイル表示領域３０１−６のサムネイル画像のいずれかに表示されているレジュームアイコン３０２を確認することにより、より直感的に、動画の再生を途中で停止した場所を知ることができる。
【０２００】
次に、図９を参照して、本発明のデジタルビデオカメラ１０１の再生機能について説明する。
【０２０１】
図９の上側は、左側のデジタルビデオカメラ１０１のカラー液晶表示部１５１に表示されるビジュアルインデックス画面と、右側の再生画面とを示している。また、図９の下側の四角は、デジタルビデオカメラ１０１により撮像した動画のチャプターを時系列に並べたものを示す。
【０２０２】
また、図７に示す場合と同様の部分には、同一の符号が付してあり、その説明は（適宜）省略する。すなわち、図９で示される例は、図７を参照して説明した本発明のデジタルビデオカメラ１０１の再生停止操作により、チャプター６の途中（時刻t2である時刻）で停止キー４０１が触れられたことで、時刻t2である時刻に、レジュームポイントとして、ハッチングを施した領域が示されている。
【０２０３】
ここで、ユーザの操作により、サムネイル表示領域３０１−１乃至サムネイル表示領域３０１−６に表示されているサムネイル画像のうち、サムネイル表示領域３０１−５に表示されているレジュームアイコン３０２が重畳されていないサムネイル画像が触れられることで（タッチパネル１５２が押圧されることで）、サムネイル表示領域３０１−５に表示されているサムネイル画像と対応しているチャプター５の先頭から動画の再生が開始される。すなわち、チャプター５の先頭の時刻t3である時刻から、動画の再生が開始される。
【０２０４】
言い換えれば、ユーザの操作により、サムネイル表示領域３０１−１乃至サムネイル表示領域３０１−６に表示されているサムネイル画像のうち、レジュームアイコン３０２が表示されていないサムネイル画像が触れられた（タッチパネル１５２が押圧された）場合、その触れられたサムネイル画像に対応したチャプターの先頭から動画の再生が開始される。
【０２０５】
また、図７乃至図９を参照して、本発明のデジタルビデオカメラ１０１による動画のレジューム再生機能について説明したが、本発明のデジタルビデオカメラ１０１においては、同様に、静止画とプレイリストについてもレジューム再生をすることができる。次に、図１０乃至図１３のフローチャートを参照して、本発明のデジタルビデオカメラ１０１による動画、静止画、およびプレイリストのレジューム再生機能について説明する。
【０２０６】
まず、図１０のフローチャートを参照して、レジューム再生制御の処理について説明する。
【０２０７】
ステップＳ１０１において、操作判定部２１４は、タッチパネル１５２から供給される信号を基に、ユーザにより、ビジュアルインデックス画面を表示させる操作がされたか否かを判定する。
【０２０８】
例えば、ステップＳ１０１において、操作判定部２１４は、ユーザにより、ビジュアルインデックス画面の動画タブ３０６、静止画タブ３０７、またはプレイリストタブ３０８のうち、動画タブ３０６が選択された場合、タッチパネル１５２から供給される信号を基に、動画のビジュアルインデックス画面を表示させる処理がされたと判定する。
【０２０９】
ステップＳ１０１において、ビジュアルインデックス画面を表示させる操作がされていないと判定された場合、ステップＳ１０１の処理に戻り、ビジュアルインデックス画面を表示させる操作がされるまで、上述した処理を繰り返す。
【０２１０】
ステップＳ１０１において、ビジュアルインデックス画面を表示させる操作がされたと判定された場合、ステップＳ１０２に進み、再生種別判定部２１１は、RAM１２８に記憶されている再生種別を取得し、RAM１２８から取得した再生種別が動画であるか否かを判定する。
【０２１１】
ステップＳ１０２において、RAM１２８から取得した再生種別が動画であると判定された場合、ステップＳ１０３に進み、再生種別判定部２１１は、判定の結果として、動画である再生種別を制御プログラム２０１に供給する。制御プログラム２０１は、再生種別判定部２１１から供給された動画である再生種別を基に、レジューム動画再生制御の処理を実行して、処理は終了する。レジューム動画再生制御の処理の詳細は後述する。
【０２１２】
一方、ステップＳ１０２において、RAM１２８から取得した再生種別が動画でないと判定された場合、ステップＳ１０４に進み、再生種別判定部２１１は、RAM１２８から取得した再生種別が静止画であるか否かを判定する。
【０２１３】
ステップＳ１０４において、RAM１２８から取得した再生種別が静止画であると判定された場合、ステップＳ１０５に進み、再生種別判定部２１１は、判定の結果として、静止画である再生種別を制御プログラム２０１に供給する。制御プログラム２０１は、再生種別判定部２１１から供給された静止画である再生種別を基に、レジューム静止画再生制御の処理を実行して、処理は終了する。レジューム静止画再生制御の処理の詳細は後述する。
【０２１４】
一方、ステップＳ１０４において、RAM１２８から取得した再生種別が静止画でないと判定された場合、ステップＳ１０６に進み、再生種別判定部２１１は、判定の結果として、プレイリストである再生種別を制御プログラム２０１に供給する。制御プログラム２０１は、再生種別判定部２１１から供給されたプレイリストである再生種別を基に、レジュームプレイリスト再生制御の処理を実行して、処理は終了する。レジュームプレイリスト再生制御の処理の詳細は後述する。
【０２１５】
次に、ステップＳ１０３の処理に対する、レジューム動画再生制御の処理の詳細について、図１１のフローチャートを参照して説明する。
【０２１６】
ステップＳ１５１において、画面表示制御部２１３は、デジタルビデオカメラ１０１に装着された光ディスク１６２に記録されている動画の画像データおよびRAM１２８に記憶されているレジューム情報（再生種別およびレジュームポイント）を基に、サムネイル表示領域にサムネイル画像を表示させることで、動画のビジュアルインデックス画面をカラー液晶表示部１５１に表示させる。また、画像表示制御部２１３は、サムネイル表示領域に表示されている所定のサムネイル画像に対して、レジュームアイコンを重畳させる。
【０２１７】
例えば、ステップＳ１５１において、画面表示制御部２１３は、デジタルビデオカメラ１０１に装着された光ディスク１６２に記録されている動画の画像データ、並びにRAM１２８に記憶されている動画である再生種別およびチャプター２の途中の時刻tbである時刻を示すレジュームポイントを基に、サムネイル表示領域３０１−１乃至サムネイル表示領域３０１−６にサムネイル画像を表示させて、サムネイル表示領域３０１−２に表示されているサムネイル画像に対して、レジュームアイコン３０２を重畳させることで、動画のビジュアルインデックス画面をカラー液晶表示部１５１に表示させる（例えば、図５の左上の動画のビジュアルインデックス画面）。
【０２１８】
なお、画面表示制御部２１３は、レジューム情報に動画の再生を途中で停止した場所の情報が含まれていない場合、チャプター１の先頭から動画を再生するので、サムネイル表示領域３０１−１に表示されているサムネイル画像に対して、レジュームアイコン３０２を重畳させる。
【０２１９】
ステップＳ１５２において、操作判定部２１４は、タッチパネル１５２から供給される信号を基に、ユーザが動画のビジュアルインデックス画面のサムネイル表示領域に表示されているサムネイル画像を触れたか（タッチパネル１５２が押圧されたか）否かを判定する。
【０２２０】
例えば、ステップＳ１５２において、操作判定部２１４は、タッチパネル１５２から供給される信号を基に、ユーザが動画のビジュアルインデックス画面のサムネイル表示領域３０１−１乃至サムネイル表示領域３０１−６に表示されているサムネイル画像を触れたか（タッチパネル１５２が押圧されたか）否かを判定する。
【０２２１】
ステップＳ１５２において、ユーザがサムネイル表示領域に表示されているサムネイル画像を触れたと判定された場合、ステップＳ１５３に進み、レジューム情報判定部２１５は、タッチパネル１５２から供給される信号を基に、ユーザにより触れられたサムネイル領域に表示されているサムネイル画像にレジュームアイコンが重畳されているか否かを判定する。
【０２２２】
例えば、ステップＳ１５３において、レジューム情報判定部２１５は、タッチパネル１５２から供給される信号を基に、動画のビジュアルインデックス画面のサムネイル表示領域３０１−１乃至サムネイル表示領域３０１−６のうち、ユーザにより触れられたサムネイル表示領域に表示されているサムネイル画像にレジュームアイコン３０２が重畳されているか否かを判定する。
【０２２３】
ステップＳ１５３において、ユーザにより触れられたサムネイル表示領域に表示されているサムネイル画像にレジュームアイコンが重畳されていると判定された場合、ステップＳ１５５に進み、再生処理部２１６は、デジタルビデオカメラ１０１に装着された光ディスク１６２に記録されている動画の画像データおよびRAM１２８に記憶されているレジュームポイントを基に、前回の操作で動画を停止した時刻（位置）から、動画の再生を開始させる。
【０２２４】
例えば、ステップＳ１５５において、再生処理部２１６は、動画の画像データおよびRAM１２８に記憶されているレジュームポイントに含まれるチャプター２の途中の時刻tbである時刻を基に、前回の操作で動画を停止した時刻tbである時刻から、動画の再生を開始させる。すなわち、チャプター２の途中の時刻tbである時刻から、動画の再生が開始される。
【０２２５】
一方、ステップＳ１５３において、ユーザにより触れられたサムネイル表示領域に表示されているサムネイル画像にレジュームアイコンが表示されていないと判定された場合、ステップＳ１５６に進み、再生処理部２１６は、デジタルビデオカメラ１０１に装着された光ディスク１６２に記録されている動画の画像データを基に、ユーザにより触られたサムネイル表示領域に表示されているサムネイル画像に対応したチャプターの先頭から動画の再生を開始させる。
【０２２６】
例えば、ステップＳ１５３において、再生処理部２１６は、デジタルビデオカメラ１０１に装着された光ディスク１６２に記録されている動画の画像データを基に、ユーザにより触られたサムネイル表示領域３０１−５に表示されているサムネイル画像に対応したチャプター５の先頭から動画の再生を開始させる。すなわち、チャプター５の先頭の時刻t3である時刻から、動画の再生が開始される。
【０２２７】
一方、ステップＳ１５２において、ユーザがサムネイル表示領域に表示されているサムネイル画像を触れていないと判定された場合、ステップＳ１５４に進み、操作判定部２１４は、リモコン受信部１２９から供給された信号を基に、ユーザの操作により、リモコン１３０の再生(PLAY)キー２５９が押下されたか否かを判定する。
【０２２８】
ステップＳ１５４において、ユーザの操作により、リモコン１３０の再生(PLAY)キー２５９が押下されたと判定された場合、ステップＳ１５５に進み、再生処理部２１６は、デジタルビデオカメラ１０１に装着された光ディスク１６２に記録されている動画の画像データおよびRAM１２８に記憶されているレジュームポイントを基に、前回の操作で動画を停止した時刻（位置）から、動画の再生を再開させる。
【０２２９】
例えば、ステップＳ１５５において、再生処理部２１６は、動画の画像データおよびRAM１２８に記憶されているレジュームポイントに含まれるチャプター２の途中の時刻tbである時刻を基に、前回の操作で動画を停止した時刻tbである時刻から、動画の再生を再開させる。すなわち、チャプター２の途中の時刻tbである時刻から、動画の再生が開始される。
【０２３０】
一方、ステップＳ１５４において、ユーザの操作により、リモコン１３０の再生(PLAY)キー２５９が押下されていないと判定された場合、ステップＳ１５２の処理に戻り、上述した処理を繰り返す。すなわち、ユーザがサムネイル表示領域３０１−１乃至サムネイル表示領域３０１−６のいずれかを触れるか、またはユーザがリモコン１３０の再生(PLAY)キー２５９を押下するまで、上述した処理を繰り返すことになる。
【０２３１】
ステップＳ１５７において、操作判定部２１４は、タッチパネル１５２から供給される信号を基に、ユーザにより停止操作がされたか否かを判定する。
【０２３２】
例えば、ステップＳ１５７において、操作判定部２１４は、タッチパネル１５２から供給された信号を基に、ユーザが再生画面の停止キー４０１を触れたか（タッチパネル１５２が押圧されたか）否かを判定する。
【０２３３】
ステップＳ１５７において、ユーザにより停止操作がされたと判定された場合、ステップＳ１５８に進み、レジューム情報記憶制御部２１２は、デジタルビデオカメラ１０１に装着された光ディスク１６２に記録されている動画の画像データおよびタッチパネル１５２から供給された信号を基に、動画の次回再生開始ポイントとして、レジュームポイントをRAM１２８に記憶させる。
【０２３４】
ここで、レジュームポイントとは、上述したように、光ディスク１６２の次回再生開始ポイントを指示する情報をいい、例えば、光ディスク１６２の先頭の再生ポイントから次回再生開始ポイントまでの時間として、RAM１２８に記憶される。
【０２３５】
例えば、ステップＳ１５８において、レジューム情報記憶制御部２１２は、ユーザによりチャプター６の再生途中（時刻t2である時刻）で停止キー４０１が触れられた場合、デジタルビデオカメラ１０１に装着された光ディスク１６２に記録されている動画の画像データおよびタッチパネル１５２から供給された信号を基に、チャプター６の途中の時刻t2である時刻を示す情報をレジュームポイントとして、RAM１２８に記憶させる。
【０２３６】
ステップＳ１５９において、画面表示制御部２１３は、デジタルビデオカメラ１０１に装着された光ディスク１６２に記録されている動画の画像データおよびRAM１２８に記憶されているレジューム情報（再生種別およびレジュームポイント）を基に、サムネイル表示領域にサムネイル画像を表示させることで、動画のビジュアルインデックス画面をカラー液晶表示部１５１に表示させる。また、画像表示制御部２１３は、サムネイル表示領域に表示されている所定のサムネイル画像に対して、レジュームアイコンを重畳させる。
【０２３７】
例えば、ステップＳ１５９おいて、画面表示制御部２１３は、デジタルビデオカメラ１０１に装着された光ディスク１６２に記録されている動画の画像データ、並びにRAM１２８に記憶されている動画である再生種別およびチャプター６の途中の時刻t2である時刻を示すレジュームポイントを基に、サムネイル表示領域３０１−１乃至サムネイル表示領域３０１−６にサムネイル画像を表示させて、サムネイル表示領域３０１−６に表示されているサムネイル画像にレジュームアイコン３０２を表示させることで、動画のビジュアルインデックス画面をカラー液晶表示部１５１に表示させる（例えば、図７の左下の動画のビジュアルインデックス画面）。
【０２３８】
一方、ステップＳ１５７において、ユーザにより停止操作がされていないと判定された場合、ステップＳ１６０に進み、再生処理部２１６は、デジタルビデオカメラ１０１に装着された光ディスク１６２に記録されている動画の画像データを基に、動画の再生を継続する。
【０２３９】
ステップＳ１６１において、再生処理部２１６は、デジタルビデオカメラ１０１に装着された光ディスク１６２に記録されている動画の画像データを基に、動画の再生の終端に到達したか否かを判定する。
【０２４０】
ステップＳ１６１において、動画の再生の終端に到達していないと判定された場合、動画はまだ終了していないので、ステップＳ１５７の処理に戻り、上述した処理を繰り返す。
【０２４１】
ステップＳ１６１において、動画の再生の終端に到達したと判定された場合、ステップＳ１６２に進み、レジューム情報記憶制御部２１２は、RAM１２８に記憶されているレジュームポイントを削除する。すなわち、レジューム情報記憶制御部２１２は、動画の再生の終端に到達した場合、動画をレジューム再生させる必要がなくなるので（次の再生では、光ディスク１６２の先頭の再生ポイントから再生を開始させるので）、RAM１２８に記憶されているレジュームポイントを削除する。
【０２４２】
例えば、ステップＳ１６２において、レジューム情報記憶制御部２１２は、RAM１２８に記憶されているチャプター６の途中の時刻t2である時刻を示すレジュームポイントを削除する。
【０２４３】
ステップＳ１６３において、画面表示制御部２１３は、デジタルビデオカメラ１０１に装着された光ディスク１６２に記録されている動画の画像データおよびRAM１２８に記憶されているレジューム情報（再生種別およびレジュームポイント）を基に、サムネイル表示領域にサムネイル画像を表示させることで、動画のビジュアルインデックス画面をカラー液晶表示部１５１に表示させる。また、画面表示制御部２１３は、先頭のレジューム領域に表示されているサムネイル画像に対して、レジュームアイコンを重畳させて、ステップＳ１５２の処理に戻り、上述した処理を繰り返す。
【０２４４】
例えば、ステップＳ１６３おいて、画面表示制御部２１３は、デジタルビデオカメラ１０１に装着された光ディスク１６２に記録されている動画の画像データ、並びにRAM１２８に記憶されている動画である再生種別およびチャプター１の先頭を示すレジュームポイントを基に、サムネイル表示領域３０１−１乃至サムネイル表示領域３０１−６にサムネイル画像を表示させることで、動画のビジュアルインデックス画面をカラー液晶表示部１５１に表示させる。また、画像表示制御部２１３は、チャプター１の先頭から動画を再生するので、サムネイル表示領域３０１−１に表示されているサムネイル画像に対して、レジュームアイコン３０２を重畳させる（例えば、図７の左上の動画のビジュアルインデックス画面）。
【０２４５】
次に、ステップＳ１０５の処理に対する、レジューム静止画再生制御の処理の詳細について、図１２のフローチャートを参照して説明する。
【０２４６】
ステップＳ２０１において、画面表示制御部２１３は、デジタルビデオカメラ１０１に装着された光ディスク１６２に記録されている静止画の画像データおよびRAM１２８に記憶されているレジューム情報（再生種別およびレジュームポイント）を基に、サムネイル表示領域にサムネイル画像を表示させることで、静止画のビジュアルインデックス画面をカラー液晶表示部１５１に表示させる。また、画像表示制御部２１３は、サムネイル表示領域に表示されている所定のサムネイル画像に対して、レジュームアイコンを重畳させる。
【０２４７】
例えば、ステップＳ２０１において、画面表示制御部２１３は、デジタルビデオカメラ１０１に装着された光ディスク１６２に記録されている静止画の画像データ、並びにRAM１２８に記憶されている静止画である再生種別およびチャプター５を示すレジュームポイントを基に、サムネイル表示領域３２１−１乃至サムネイル表示領域３２１−６にサムネイル画像を表示させて、サムネイル表示領域３２１−５に表示されているサムネイル画像に対して、レジュームアイコン３２２を重畳させることで、静止画のビジュアルインデックス画面をカラー液晶表示部１５１に表示させる（例えば、図５の右上の静止画のビジュアルインデックス画面）。
【０２４８】
ステップＳ２０２において、操作判定部２１４は、タッチパネル１５２から供給される信号を基に、ユーザが静止画のビジュアルインデックス画面のサムネイル表示領域に表示されているサムネイル画像を触れたか（タッチパネル１５２が押圧されたか）否かを判定する。
【０２４９】
例えば、ステップＳ２０２において、操作判定部２１４は、タッチパネル１５２から供給される信号を基に、ユーザが静止画のビジュアルインデックス画面のサムネイル表示領域３２１−１乃至サムネイル表示領域３２１−６に表示されているサムネイル画像を触れたか（タッチパネル１５２が押圧されたか）否かを判定する。
【０２５０】
ステップＳ２０２において、ユーザが静止画のビジュアルインデックス画面のサムネイル表示領域に表示されているサムネイル画像を触れたと判定された場合、ステップＳ２０３に進み、再生処理部２１６は、ユーザにより触れられたサムネイル表示領域に表示されているサムネイル画像に対応した静止画を再生する。
【０２５１】
一方、ステップＳ２０２において、ユーザが静止画のビジュアルインデックス画面のサムネイル表示領域に表示されているサムネイル画像を触れていないと判定された場合、ステップＳ２０４に進み、操作判定部２１４は、リモコン受信部１２９から供給された信号を基に、ユーザの操作により、リモコン１３０の再生(PLAY)キー２５９が押下されたか否かを判定する。
【０２５２】
ステップＳ２０４において、ユーザの操作により、リモコン１３０の再生(PLAY)キー２５９が押下されたと判定された場合、ステップＳ２０５に進み、再生処理部２１６は、デジタルビデオカメラ１０１に装着された光ディスク１６２に記録されている静止画の画像データおよびRAM１２８に記憶されているレジュームポイントを基に、前回の操作で静止画を停止した時刻（位置）から、静止画の再生を再開させる。
【０２５３】
例えば、ステップＳ２０５において、再生処理部２１６は、静止画の画像データおよびRAM１２８に記憶されているレジュームポイントに含まれるチャプター５を示すレジュームポイントを基に、前回の操作で静止画を停止したチャプター５から、静止画の再生を再開させる。すなわち、チャプター５から、静止画の再生が開始される。
【０２５４】
一方、ステップＳ２０４において、ユーザの操作により、リモコン１３０の再生(PLAY)キー２５９が押下されていないと判定された場合、ステップＳ２０２の処理に戻り、上述した処理を繰り返す。すなわち、ユーザがサムネイル表示領域３２１−１乃至サムネイル表示領域３２１−６のいずれかを触れるか、またはユーザがリモコン１３０の再生(PLAY)キー２５９を押下するまで、上述した処理を繰り返すことになる。
【０２５５】
ステップＳ２０６において、操作判定部２１４は、タッチパネル１５２から供給された信号を基に、ユーザにより停止操作がされたか否かを判定する。
【０２５６】
例えば、ステップＳ２０６において、操作判定部２１４は、タッチパネル１５２から供給された信号を基に、ユーザが静止画の再生画面の停止キー（図示せず）を触れたか（タッチパネル１５２が押圧されたか）否かを判定する。
【０２５７】
ステップＳ２０６において、ユーザにより停止操作がされたと判定された場合、ステップＳ２０７に進み、レジューム情報記憶制御部２１２は、デジタルビデオカメラ１０１に装着された光ディスク１６２に記録されている静止画の画像データおよびタッチパネル１５２から供給された信号を基に、静止画の次回再生開始ポイントとして、レジュームポイントをRAM１２８に記憶させる。
【０２５８】
例えば、ステップＳ２０７において、レジューム情報記憶制御部２１２は、ユーザによりチャプター６で停止キー（図示せず）が触れられた場合、デジタルビデオカメラ１０１に装着された光ディスク１６２に記録されている静止画の画像データおよびタッチパネル１５２から供給された信号を基に、チャプター６を示す情報をレジュームポイントとして、RAM１２８に記憶させる。
【０２５９】
ステップＳ２０８において、画面表示制御部２１３は、デジタルビデオカメラ１０１に装着された光ディスク１６２に記録されている静止画の画像データおよびRAM１２８に記憶されているレジューム情報（再生種別およびレジュームポイント）を基に、サムネイル表示領域にサムネイル画像を表示させることで、静止画のビジュアルインデックス画面をカラー液晶表示部１５１に表示させる。また、画面表示制御部２１３は、サムネイル表示領域に表示されている所定のサムネイル画像に対して、レジュームアイコンを重畳させる。
【０２６０】
例えば、ステップＳ２０８おいて、画面表示制御部２１３は、デジタルビデオカメラ１０１に装着された光ディスク１６２に記録されている静止画の画像データ、並びにRAM１２８に記憶されている静止画である再生種別およびチャプター６を示すレジュームポイントを基に、サムネイル表示領域３２１−１乃至サムネイル表示領域３２１−６にサムネイル画像を表示させて、サムネイル表示領域３２１−６に表示されているサムネイル画像に対して、レジュームアイコン３２２を重畳させることで、静止画のビジュアルインデックス画面をカラー液晶表示部１５１に表示させる。
【０２６１】
一方、ステップＳ２０６において、ユーザにより停止操作がされていないと判定された場合、ステップＳ２０９に進み、操作判定部２１４は、タッチパネル１５２から供給された信号を基に、ユーザにより静止画送り操作がされたか否かを判定する。
【０２６２】
例えば、ステップＳ２０９において、操作判定部２１４は、タッチパネル１５２から供給された信号を基に、ユーザが静止画の再生画面の静止画送りキー（図示せず）を触れたか（タッチパネル１５２が押圧されたか）否かを判定する。
【０２６３】
ステップＳ２０９において、ユーザにより静止画送り操作がされたと判定された場合、ステップＳ２１０に進み、再生処理部２１６は、静止画送り操作により、進められた静止画を再生して、ステップＳ２０６の処理に戻り、上述した処理を繰り返す。
【０２６４】
一方、ステップＳ２０９において、ユーザにより静止画送り操作がされていないと判定された場合、ステップＳ２０６の処理に戻り、上述した処理を繰り返す。
【０２６５】
次に、ステップＳ１０６の処理に対する、レジュームプレイリスト再生制御の処理の詳細について、図１３のフローチャートを参照して説明する。なお、図１３のフローチャートにおいては、プレイリストに登録されている動画を再生する場合について説明する。
【０２６６】
ステップＳ２５１において、画面表示制御部２１３は、デジタルビデオカメラ１０１に装着された光ディスク１６２に記録されている動画または静止画の画像データ、およびRAM１２８に記憶されているレジューム情報（再生種別およびレジュームポイント）を基に、サムネイル表示領域にサムネイル画像を表示させることで、プレイリストのビジュアルインデックス画面をカラー液晶表示部１５１に表示させる。また、画面表示制御部２１３は、サムネイル表示領域に表示されている所定のサムネイル画像にレジュームアイコンを重畳させる。
【０２６７】
例えば、ステップＳ２５１において、画面表示制御部２１３は、デジタルビデオカメラ１０１に装着された光ディスク１６２に記録されている動画または静止画の画像データ、並びにRAM１２８に記憶されているプレイリストである再生種別およびチャプター２の途中の時刻tcである時刻を示すレジュームポイントを基に、サムネイル表示領域３４１−１乃至サムネイル表示領域３４１−６にサムネイル画像を表示させて、サムネイル表示領域３４１−２に表示されているサムネイル画像に対して、レジュームアイコン３４２を重畳させることで、プレイリストのビジュアルインデックス画面をカラー液晶表示部１５１に表示させる（例えば、図５の左下のプレイリストのビジュアルインデックス画面）。
【０２６８】
ステップＳ２５２において、操作判定部２１４は、タッチパネル１５２から供給される信号を基に、ユーザがプレイリストのビジュアルインデックス画面のサムネイル表示領域に表示されているサムネイル画像を触れたか（タッチパネル１５２が押圧されたか）否かを判定する。
【０２６９】
例えば、ステップＳ２５２において、操作判定部２１４は、タッチパネル１５２から供給される信号を基に、ユーザがプレイリストのビジュアルインデックス画面のサムネイル表示領域３４１−１乃至サムネイル表示領域３４１−６に表示されているサムネイル画像を触れたか（タッチパネル１５２が押圧されたか）否かを判定する。
【０２７０】
ステップＳ２５２において、ユーザがサムネイル表示領域に表示されているサムネイル画像を触れたと判定された場合、ステップＳ２５３に進み、レジューム情報判定部２１５は、ユーザにより触れられたサムネイル領域に表示されているサムネイル画像にレジュームアイコンが重畳されているか否かを判定する。
【０２７１】
例えば、ステップＳ２５３において、レジューム情報判定部２１５は、プレイリストのビジュアルインデックス画面のサムネイル表示領域３４１−１乃至サムネイル表示領域３４１−６のうち、ユーザにより触れられたサムネイル表示領域に表示されているサムネイル画像にレジュームアイコン３４２が重畳されているか否かを判定する。
【０２７２】
ステップＳ２５３において、ユーザにより触れられたサムネイル表示領域に表示されているサムネイル画像にレジュームアイコンが重畳されていると判定された場合、ステップＳ２５５に進み、再生処理部２１６は、デジタルビデオカメラ１０１に装着された光ディスク１６２に記録されている動画の画像データおよびRAM１２８に記憶されているレジュームポイントを基に、前回の操作で動画を停止した時刻（位置）から、動画の再生を開始させる。
【０２７３】
例えば、ステップＳ２５５において、再生処理部２１６は、動画の画像データおよびRAM１２８に記憶されているレジュームポイントに含まれるチャプター２の途中の時刻tcである時刻を基に、前回の操作で動画を停止した時刻tcである時刻から、動画の再生を開始させる。すなわち、チャプター２の途中の時刻tcである時刻から、動画の再生が開始される。
【０２７４】
一方、ステップＳ２５３において、ユーザにより触れられたサムネイル表示領域に表示されているサムネイル画像にレジュームアイコンが表示されていないと判定された場合、ステップＳ２５６に進み、再生処理部２１６は、デジタルビデオカメラ１０１に装着された光ディスク１６２に記録されている動画の画像データを基に、ユーザにより触られたサムネイル表示領域に表示されているサムネイル画像に対応したチャプターの先頭から動画の再生を開始させる。
【０２７５】
例えば、ステップＳ２５３において、再生処理部２１６は、ユーザによりサムネイル表示領域３４１−５に表示されているサムネイル画像が触られた場合、デジタルビデオカメラ１０１に装着された光ディスク１６２に記録されている画像データを基に、ユーザにより触られたサムネイル表示領域３４１−５に表示されているサムネイル画像に対応したチャプター５の先頭から動画の再生を開始させる。
【０２７６】
一方、ステップＳ２５２において、ユーザがサムネイル表示領域に表示されているサムネイル画像を触れていないと判定された場合、ステップＳ２５４に進み、操作判定部２１４は、リモコン受信部１２９から供給された信号を基に、ユーザの操作により、リモコン１３０の再生(PLAY)キー２５９が押下されたか否かを判定する。
【０２７７】
ステップＳ２５４において、ユーザの操作により、リモコン１３０の再生(PLAY)キー２５９が押下されたと判定された場合、ステップＳ２５５に進み、再生処理部２１６は、デジタルビデオカメラ１０１に装着された光ディスク１６２に記録されている動画の画像データおよびRAM１２８に記憶されているレジュームポイントを基に、前回の操作で動画を停止した時刻（位置）から、動画の再生を再開させる。
【０２７８】
例えば、ステップＳ２５５において、再生処理部２１６は、動画の画像データおよびRAM１２８に記憶されているレジュームポイントに含まれるチャプター２の途中の時刻tcである時刻を基に、前回の操作で動画を停止した時刻tcである時刻から、動画の再生を再開させる。すなわち、チャプター２の途中の時刻tcである時刻から、動画の再生が開始される。
【０２７９】
一方、ステップＳ２５４において、ユーザの操作により、リモコン１３０の再生(PLAY)キー２５９が押下されていないと判定された場合、ステップＳ２５２の処理に戻り、上述した処理を繰り返す。すなわち、ユーザがサムネイル表示領域３４１−１乃至サムネイル表示領域３４１−６のいずれかを触れるか、またはユーザがリモコン１３０の再生(PLAY)キー２５９を押下するまで、上述した処理を繰り返すことになる。
【０２８０】
ステップＳ２５７において、操作判定部２１４は、タッチパネル１５２から供給される信号を基に、ユーザにより停止操作がされたか否かを判定する。
【０２８１】
例えば、ステップＳ２５７において、操作判定部２１４は、タッチパネル１５２から供給された信号を基に、ユーザが再生画面の停止キー（図示せず）を触れたか（タッチパネル１５２が押圧されたか）否かを判定する。
【０２８２】
ステップＳ２５７において、ユーザにより停止操作がされたと判定された場合、ステップＳ２５８に進み、レジューム情報記憶制御部２１２は、デジタルビデオカメラ１０１に装着された光ディスク１６２に記録されている画像データおよびタッチパネル１５２から供給された信号を基に、動画の次回再生開始ポイントとして、レジュームポイントをRAM１２８に記憶させる。
【０２８３】
例えば、ステップＳ２５８において、レジューム情報記憶制御部２１２は、ユーザによりチャプター４の再生途中（時刻tdである時刻）で停止キー（図示せず）が触れられた場合、デジタルビデオカメラ１０１に装着された光ディスク１６２に記録されている動画の画像データおよびタッチパネル１５２から供給された信号を基に、チャプター４の途中の時刻tdである時刻を示す情報をレジュームポイントとして、RAM１２８に記憶させる。
【０２８４】
ステップＳ２５９において、画面表示制御部２１３は、デジタルビデオカメラ１０１に装着された光ディスク１６２に記録されている動画または静止画の画像データおよびRAM１２８に記憶されているレジューム情報（再生種別およびレジュームポイント）を基に、サムネイル表示領域にサムネイル画像を表示させることで、プレイリストのビジュアルインデックス画面をカラー液晶表示部１５１に表示させる。また、画面表示制御部２１３は、サムネイル表示領域に表示されている所定のサムネイル画像に対して、レジュームアイコンを重畳させる
【０２８５】
例えば、ステップＳ２５９おいて、画面表示制御部２１３は、デジタルビデオカメラ１０１に装着された光ディスク１６２に記録されている動画または静止画の画像データ、並びにRAM１２８に記憶されているプレイリストである再生種別およびチャプター４の途中の時刻tdである時刻を示すレジュームポイントを基に、サムネイル表示領域３４１−１乃至サムネイル表示領域３４１−６にサムネイル画像を表示させて、サムネイル表示領域３４１−４に表示されているサムネイル画像に対して、レジュームアイコン３４２を重畳させることで、プレイリストのビジュアルインデックス画面をカラー液晶表示部１５１に表示させる。
【０２８６】
一方、ステップＳ２５７において、ユーザにより停止操作がされていないと判定された場合、ステップＳ２６０に進み、再生処理部２１６は、デジタルビデオカメラ１０１に装着された光ディスク１６２に記録されている画像データを基に、動画の再生を継続する。
【０２８７】
ステップＳ２６１において、再生処理部２１６は、デジタルビデオカメラ１０１に装着された光ディスク１６２に記録されている画像データを基に、動画の再生の終端に到達したか否かを判定する。
【０２８８】
ステップＳ２６１において、動画の再生の終端に到達していないと判定された場合、動画はまだ終了していないので、ステップＳ２５７の処理に戻り、上述した処理を繰り返す。
【０２８９】
ステップＳ２６１において、動画の再生の終端に到達したと判定された場合、ステップＳ２６２に進み、レジューム情報記憶制御部２１２は、RAM１２８に記憶されているレジュームポイントを削除する。すなわち、レジューム情報記憶制御部２１２は、動画の再生の終端に到達した場合、動画をレジューム再生させる必要がなくなるので（次の再生では、光ディスク１６２の先頭の再生ポイントから再生を開始させるので）、RAM１２８に記憶されているレジュームポイントを削除する。
【０２９０】
例えば、ステップＳ２６２において、レジューム情報記憶制御部２１２は、RAM１２８に記憶されているチャプター４の途中の時刻tdである時刻を示すレジュームポイントを削除する。
【０２９１】
ステップＳ２６３において、画面表示制御部２１３は、デジタルビデオカメラ１０１に装着された光ディスク１６２に記録されている動画または静止画の画像データおよびRAM１２８に記憶されているレジューム情報（再生種別およびレジュームポイント）を基に、サムネイル表示領域にサムネイル画像を表示させることで、プレイリストのビジュアルインデックス画面をカラー液晶表示部１５１に表示させる。また、画面表示制御部２１３は、サムネイル表示領域に表示されている先頭のサムネイル画像に対して、レジュームアイコンを重畳させて、ステップＳ２５２の処理に戻り、上述した処理を繰り返す。
【０２９２】
例えば、ステップＳ２６３おいて、画面表示制御部２１３は、デジタルビデオカメラ１０１に装着された光ディスク１６２に記録されている動画または静止画の画像データ、並びにRAM１２８に記憶されているプレイリストである再生種別およびチャプター１の先頭を示すレジュームポイントを基に、サムネイル表示領域３４１−１乃至サムネイル表示領域３４１−６にサムネイル画像を表示させて、チャプター１の先頭から動画を再生するので、サムネイル表示領域３４１−１に表示されているサムネイル画像に対して、レジュームアイコン３４２を重畳させることで、プレイリストのビジュアルインデックス画面をカラー液晶表示部１５１に表示させる。
【０２９３】
なお、図１３においては、プレイリストに登録されている動画を再生する場合について説明したが、上述したように、プレイリストには、静止画も登録される。プレイリストに登録されている静止画を再生する場合には、図１２のフローチャートを参照して説明したレジューム静止画再生制御の処理と同様の処理が実行される。
【０２９４】
次に、図１４乃至図１８を参照して、本発明のデジタルビデオカメラ１０１によるレジューム再生機能のより詳細な説明する。
【０２９５】
まず、図１４を参照して、レジューム再生機能の概要について説明する。
【０２９６】
図１４で示される例において、縦方向に３つ並んでいる四角は、上から、デジタルビデオカメラ１０１に装着された光ディスク１６２に記録されている動画を示す動画５０１（上段）、静止画を示す静止画５０２（中段）、およびプレイリストを示すプレイリスト５０３（下段）を示す。
【０２９７】
再生種別５１１は、例えば、動画、静止画、またはプレイリストなどの再生の種別であり、動画５０１、静止画５０２、またはプレイリスト５０３のうち、いずれか１つを指し示す。例えば、上述した、図５において、動画タブ３０６を選択した場合、再生種別５１１は、上段に移動して、動画５０１を指し示し、静止画タブ３０７を選択した場合、再生種別は、中段に移動して、静止画５０２を指し示し、プレイリストタブ３０８を選択した場合、再生種別は、下段に移動して、プレイリスト５０３を指し示す。
【０２９８】
レジュームポイント５１２−１は、動画５０１の次回再生開始ポイントを指示する情報をいい、例えば、光ディスク１６２の先頭の再生ポイントから次回再生開始ポイントまでの時間として、RAM１２８に記憶される。すなわち、ユーザにより、レジュームポイント５１２−１がある場所のチャプチャーに対応したサムネイル画像を表示しているサムネイル表示領域が触れられた（タッチパネル１５２が押圧された）場合、レジュームポイント５１２−１の位置から、動画の再生が再開される。
【０２９９】
レジュームポイント５１２−２は、静止画５０２の次回再生開始ポイントを指示する情報をいい、例えば、光ディスク１６２の先頭の再生ポイントから次回再生開始ポイントまでの時間として、RAM１２８に記憶される。すなわち、ユーザにより、レジューム情報５１２−２がある場所のチャプチャーに対応したサムネイル画像を表示しているサムネイル表示領域が触れられた（タッチパネル１５２が押圧された）場合、レジュームポイント５１２−２の位置から、静止画の再生が再開される。
【０３００】
レジュームポイント５１２−３は、プレイリスト５０３の次回再生開始ポイントを指示する情報をいい、例えば、光ディスク１６２の先頭の再生ポイントから次回再生開始ポイントまでの時間として、RAM１２８に記憶される。すなわち、ユーザにより、レジュームポイント５１２−３がある場所のチャプチャーに対応したサムネイル画像を表示しているサムネイル表示領域が触れられた（タッチパネル１５２が押圧された）場合、レジュームポイント５１２−３の位置から、プレイリスト（動画または静止画）の再生が再開される。
【０３０１】
また、上述したように、ここでは、再生種別５１１およびレジュームポイント５１２−１乃至レジュームポイント５１２−３をまとめて、レジューム情報と称している。
【０３０２】
このように、動画５０１乃至プレイリスト５０３は、それぞれが、レジュームポイント５１２−１乃至レジュームポイント５１２−３をRAM１２８に記憶しているので、動画５０１乃至プレイリスト５０３のそれぞれに関して、次回再生開始ポイントから再生を開始することができる。その結果、デジタルビデオカメラ１０１によるレジューム再生の操作性を向上させることができる。
【０３０３】
次に、図１５を参照して、レジューム情報のリセットまたはクリアについて説明する。
【０３０４】
図１５に示される例において、図１４に示す場合と同様の部分には、同一の符号が付してあり、その説明は（適宜）省略する。
【０３０５】
レジューム情報がリセットされる状態とは、再生種別５１１が、上段に移動して、動画５０１を指し示すことをいう。また、レジューム情報がクリアされる状態とは、レジュームポイント５１２−１乃至レジュームポイント５１２−３のそれぞれが、動画５０１乃至プレイリスト５０３の左端にそれぞれ移動した状態、すなわち、先頭の再生ポイントにそれぞれ移動した状態のことをいう。
【０３０６】
本発明のデジタルビデオカメラ１０１において、レジューム情報は、例えば、初期化の処理を実行したとき、ファイナライズ（またはファイナライズ解除）の処理を実行したとき、光ディスク１６２を取り出したとき（EJECT）、パーソナルコンピュータなどに接続することで、USB（Universal Serial Bus）モードに遷移したとき、ディスクを復旧したとき（例えば、光ディスク１６２への書き込みに失敗したときに実行する処理など）、ドライブ若しくはシステムエラーが発生したとき、または結露のときなどにリセットおよびクリアされる。
【０３０７】
次に、図１６を参照して、レジューム情報の遷移について説明する。
【０３０８】
図１６に示される例において、図１４および図１５に示す場合と同様の部分には、同一の符号が付してあり、その説明は（適宜）省略する。
【０３０９】
まず、再生種別５１１の遷移について説明する。上述したように、再生種別５１１は、動画５０１、静止画５０２、またはプレイリスト５０３のうち、いずれか１つを指示し、ユーザの操作により遷移する。
【０３１０】
再生種別５１１は、例えば、ユーザの操作により、動画が記録されるか、またはビジュアルインデックス画面の動画タブ３０６が選択された場合、上段に移動して、動画５０１を指し示す。すなわち、再生種別５１１として、動画が設定される。
【０３１１】
また、再生種別５１１は、例えば、ユーザの操作により、静止画が記録されるか、またはビジュアルインデックス画面の静止画タブ３０７が選択された場合、中段に移動して、静止画５０２を指し示す。すなわち、再生種別５１１として、静止画が設定される。
【０３１２】
さらに、再生種別５１１は、例えば、ユーザの操作により、ビジュアルインデックス画面のプレイリストタブ３０８が選択された場合、下段に移動して、プレイリスト５０３を指し示す。すなわち、再生種別５１１として、プレイリストが設定される。
【０３１３】
次に、レジュームポイント５１２−１乃至レジュームポイント５１２−３の遷移について説明する。レジュームポイント５１２−１乃至レジュームポイント５１２−３のそれぞれは、動画５０１乃至プレイリスト５０３の次回再生開始ポイントをそれぞれ指示する。
【０３１４】
レジュームポイント５１２−１は、例えば、ユーザの操作により、動画の再生が停止されるか、または動画が記録された場合、その操作がされた場所を指示する。
【０３１５】
具体的には、例えば、レジュームポイント５１２−１は、ユーザの操作により、動画の再生が停止された場合、光ディスク１６２の先頭の再生ポイントからレジュームポイント５１２−１までの時間として、RAM１２８に記憶され、動画が記録された場合、光ディスク１６２の先頭の再生ポイントからレジュームポイント５１２−１に指示されているチャプターの先頭までの時間として、RAM１２８に記憶される。
【０３１６】
このようにすることで、動画の再生が停止された場合には、次回再生開始ポイントから再生を開始することができ、動画が記録された場合には、動画を記録（撮像）した後、記録した動画を直ぐに確認することができる（失敗したものを削除することもできる）。
【０３１７】
また、レジュームポイント５１２−１は、例えば、ユーザの操作により、レビューが削除される（上述した、動画を記録した後、記録した動画を確認して削除する）か、または動画を再生していて終端に到達した場合、動画５０１の左端に移動して、先頭の再生ポイントを指示する。すなわち、レジュームポイント５１２−１がクリアされる。
【０３１８】
レジュームポイント５１２−２は、例えば、ユーザの操作により、静止画の再生が停止されるか、または静止画が記録された場合、その操作がされた場所を指示する。
【０３１９】
具体的には、例えば、レジュームポイント５１２−２は、ユーザの操作により、静止画の再生が停止されるか、または静止画が記録された場合、光ディスク１６２の先頭の再生ポイントからレジュームポイント５１２−２までの時間として、RAM１２８に記憶される。
【０３２０】
このようにすることで、静止画の再生が停止された場合には、次回再生開始ポイントから再生を開始することができ、静止画が記録された場合には、静止画を記録（撮像）した後、記録した静止画を直ぐに確認することができる（失敗したものを削除することもできる）。
【０３２１】
また、レジュームポイント５１２−２は、例えば、ユーザの操作により、レビューが削除される（上述した、静止画を記録した後、記録した静止画を確認して削除する）場合、静止画５０２の左端に移動して、先頭の再生ポイントを指示する。すなわち、レジュームポイント５１２−２がクリアされる。
【０３２２】
レジュームポイント５１２−３は、例えば、ユーザの操作により、プレイリストの再生が停止された場合、プレイリストの再生が停止された場所を指示する。
【０３２３】
具体的には、例えば、レジュームポイント５１２−３は、プレイリストの再生が停止された場合には、光ディスク１６２の先頭の再生ポイントからレジュームポイント５１２−３までの時間として、RAM１２８に記憶される。
【０３２４】
このようにすることで、プレイリストの再生が停止された場合には、次回再生開始ポイントから再生を開始することができる。
【０３２５】
また、レジュームポイント５１２−３は、例えば、動画（静止画）を再生していて終端に到達した場合、プレイリスト５０３の左端に移動して、先頭の再生ポイントを指示する。すなわち、レジュームポイント５１２−３がクリアされる。
【０３２６】
次に、図１７を参照して、レジューム情報の編集処理実行後の遷移について説明する。
【０３２７】
図１７に示される例において、図１４乃至図１６に示す場合と同様の部分には、同一の符号が付してあり、その説明は（適宜）省略する。
【０３２８】
編集処理を実行した場合、再生種別５１１は、動画５０１、静止画５０２、またはプレイリスト５０３のうち、最適なものを指示する。
【０３２９】
具体的には、例えば、再生種別５１１は、動画を削除するか、または動画を分割する編集処理を実行した場合、上段に移動して、動画５０１を指し示す。すなわち、再生種別５１１として、動画が設定される。
【０３３０】
また、例えば、再生種別５１１は、静止画を削除する編集処理を実行した場合、中段に移動して、静止画５０２を指し示す。すなわち、再生種別５１１として、静止画が設定される。
【０３３１】
さらに、例えば、再生種別５１１は、動画若しくは静止画をプレイリストに追加するか、プレイリストを消去するか、またはプレイリストの中のチャプターを移動若しくは分割する編集処理を実行した場合、下段に移動して、プレイリスト５０３を指し示す。すなわち、再生種別５１１として、プレイリストが設定される。
【０３３２】
また、編集処理を実行した場合、レジュームポイント５１２−１乃至レジュームポイント５１２−３のそれぞれは、動画５０１乃至プレイリスト５０３の左端にそれぞれ移動して、先頭の再生ポイントを指示する。すなわち、レジュームポイント５１２−１乃至レジュームポイント５１２−３は、クリアされる。
【０３３３】
次に、図１８を参照して、レジューム情報の光ディスク１６２をドライブに挿入したときの遷移について説明する。
【０３３４】
図１８に示される例において、図１４乃至図１７に示す場合と同様の部分には、同一の符号が付してあり、その説明は（適宜）省略する。
【０３３５】
光ディスク１６２をドライブに挿入した場合、再生種別５１１は、動画５０１または静止画５０２のうち、いずれか一方を指示する。
【０３３６】
具体的には、例えば、再生種別５１１は、ドライブに挿入された光ディスク１６２に動画と静止画との両方が記録されている場合、上段に移動して、動画５０１を指し示す。すなわち、再生種別５１１として、動画が設定される。
【０３３７】
また、再生種別５１１は、ドライブに挿入された光ディスク１６２に動画のみが記録されている場合、上段に移動して、動画５０１を指し示す。すなわち、再生種別５１１として、動画が設定される。
【０３３８】
再生種別５１１は、ドライブに挿入された光ディスク１６２に静止画のみが記録されている場合、中段に移動して、静止画５０２を指し示す。すなわち、再生種別５１１として、静止画が設定される。
【０３３９】
再生種別５１１は、ドライブに挿入された光ディスク１６２に動画と静止画がともに記録されていない場合、上段に移動して、動画５０１を指し示す。すなわち、再生種別５１１として、動画が設定される。
【０３４０】
このとき、レジュームポイント５１２−１乃至レジュームポイント５１２−３のそれぞれは、動画５０１乃至プレイリスト５０３の左端にそれぞれ移動して、先頭の再生ポイントを指示する。すなわち、光ディスク１６２をドライブに挿入した場合、動画、静止画、およびプレイリストのレジュームポイントは、先頭の再生ポイントを指示することになる。
【０３４１】
以上のように、本発明のデジタルビデオカメラ１０１によれば、ユーザに対して、直感的な画面インターフェイスが提供されるので、ユーザは、より簡便に動画（静止画）を再生させる操作を行うことができる。
【０３４２】
また、本発明のデジタルビデオカメラ１０１によれば、再生種別ごとに、複数のレジュームポイントを保持することで、複数の再生種別に関して、それぞれにおける前回の再生途中の場所から動画（または静止画）を再生させることができるので、ユーザは、より簡便に動画（または静止画）を再生させる操作を行うことができる。
【０３４３】
なお、上述した例においては、レジューム情報判定部２１５は、レジューム再生をするか否かを判定する場合、画像データにレジュームアイコンが重畳されているか否かによって判定するとして説明したが、それに限らず、例えば、RAM１２８にテーブルを記憶させて、そのテーブルに、停止位置と、それに対応する画像データを格納するようにし、テーブルに格納された情報を基に、判定するようにしてもよい。
【０３４４】
具体的には、例えば、レジューム情報記憶制御部２１２は、ユーザにより、再生途中で停止キーが触れられた場合、デジタルビデオカメラ１０１に装着された光ディスク１６２に記録されている画像データおよびタッチパネル１５２から供給された信号を基に、再生を停止した位置を示す停止位置と、その停止動作がされた画像データを示す情報とを対応付けて、RAM１２８に格納させる。
【０３４５】
そして、レジューム情報判定部２１５は、RAM１２８に記憶されたテーブルに格納されている、停止位置と、それに対応する画像データを基に、ユーザにより触れられたサムネイル領域に表示されているサムネイル画像に対応した画像データが、テーブルに格納された停止位置を示す情報と一致するかにより、レジューム再生をするか否かを判定する。
【０３４６】
すなわち、レジューム情報判定部２１５がレジューム再生をするか否かを判定する方法は、画像データにレジュームアイコンが重畳されているか否かにより判定する方法に限定されるものではない。
【０３４７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３４８】
この記録媒体は、図２に示すように、コンピュータとは別に、ユーザにプログラムを提供するために配布される、プログラムが記録されている磁気ディスク１６１（フレキシブルディスクを含む）、光ディスク１６２（CD-ROM(Compact Disc-Read Only Memory)を含む）、光磁気ディスク１６３（MD（商標）を含む）、若しくは半導体メモリ１６４などよりなるパッケージメディアにより構成されるだけでなく、コンピュータに予め組み込まれた状態でユーザに提供される、プログラムが記録されているROM（図示せず）などで構成される。
【０３４９】
また、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０３５０】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０３５１】
【図１】従来のデジタルビデオカメラによるレジューム再生機能を説明する図である。
【図２】本発明を適用したデジタルビデオカメラの一実施の形態の構成を示すブロック図である。
【図３】CPUにおいて実行される制御プログラムの構成を示すブロック図である。
【図４】リモコンの外観の一例を示す図である。
【図５】操作画面を表示するデジタルビデオカメラのカラー液晶表示部の画面の表示例について説明する図である。
【図６】再生種別設定制御の処理について説明するフローチャートである。
【図７】本発明のデジタルビデオカメラの再生停止操作について説明する図である。
【図８】本発明のデジタルビデオカメラのレジューム再生機能について説明する図である。
【図９】本発明のデジタルビデオカメラの再生機能について説明する図である。
【図１０】再生種別判別の処理について説明するフローチャートである。
【図１１】レジューム動画再生制御の処理について説明するフローチャートである。
【図１２】レジューム静止画再生制御の処理について説明するフローチャートである。
【図１３】レジュームプレイリスト再生制御の処理について説明するフローチャートである。
【図１４】レジューム再生機能の概要について説明する図である。
【図１５】レジューム情報のリセットについて説明する図である。
【図１６】レジューム情報の遷移について説明する図である。
【図１７】レジューム情報の編集処理実行後の遷移について説明する図である。
【図１８】レジューム情報の光ディスクをドライブに挿入したときの遷移について説明する図である。
【符号の説明】
【０３５２】
１０１  デジタルビデオカメラ，  １１７  DSP，  １１９  CPU，  １２５  記録媒体，  １２７  CPU，  １２８  RAM，  １６１  磁気ディスク，  １６２  光ディスク，  １３１  光磁気ディスク，  １３２  半導体メモリ，  ２０１  制御プログラム，  ２１１  再生種別判定部，  ２１２  レジューム情報記憶制御部，  ２１３  画面表示制御部，  ２１４  操作判定部，  ２１５  レジューム情報判定部，  ２１６  再生処理部
【図１】
2007172827.tif 000003
【図２】
2007172827.tif 000004
【図３】
2007172827.tif 000005
【図４】
2007172827.tif 000006
【図５】
2007172827.tif 000007
【図６】
2007172827.tif 000008
【図７】
2007172827.tif 000009
【図８】
2007172827.tif 000010
【図９】
2007172827.tif 000011
【図１０】
2007172827.tif 000012
【図１１】
2007172827.tif 000013
【図１２】
2007172827.tif 000014
【図１３】
2007172827.tif 000015
【図１４】
2007172827.tif 000016
【図１５】
2007172827.tif 000017
【図１６】
2007172827.tif 000018
【図１７】
2007172827.tif 000019
【図１８】
2007172827.tif 000020